(57)【要約】メモリに格納された情報を提供するシステムと方法とが提供される。上記システムは情報を格納するための情報リポジトリと、マンマシンシステムインターフェースで行なわれた所定の操作に応答して、その情報へのアクセスを提供するためのアクセスモジュールとを備える。上記方法は、情報をメモリに格納するステップと、少なくとも１つの所定の操作に依存してこの情報へのアクセスを提供するステップとを含む。上記アクセスモジュールは、ロック条件をバイパスまたは無効化することによって、上記マンマシンインターフェース上の所定の操作に応答して該情報のサブセットにのみアクセスを提供するように配置されている。
2009533775.tif 000002
【特許請求の範囲】
【請求項１】
情報アクセスシステム（２５）であって、該システムは、
情報を格納するための情報リポジトリ（２６）と、該情報へのアクセスを提供し、かつマンマシンインターフェース（２２）に関連付けられたロック条件および／または該情報へのアクセスを制限するために該情報リポジトリ（２６）に格納された情報を有するアクセスモジュール（２８）とを備え、
該アクセスモジュール（２８）は、該ロック条件をバイパスまたは無効化することによって、該マンマシンインターフェース（２２）上の所定の操作に応答して該情報のサブセットにのみアクセスを提供するように配置されている、情報アクセスシステム（２５）。
【請求項２】
前記リポジトリは、携帯型デバイス（２２）に格納されたコンピュータ読み取り可能メモリ（１８）である、請求項１に記載のシステム。
【請求項３】
前記コンピュータ読み取り可能メモリ（１８）は、ワイヤレスデバイスの加入者情報モジュールである、請求項２に記載のシステム。
【請求項４】
前記リポジトリ（２６）は、ワイヤレスデバイスでアクセス可能なワイヤレスネットワークに連結されたコンピュータ読み取り可能メモリである、請求項１に記載のシステム。
【請求項５】
前記情報のサブセットは、緊急時の情報である、請求項１〜４のいずれか一項に記載のシステム。
【請求項６】
前記所定の操作は、所定のキーのストロークである、請求項１〜５のいずれか一項に記載のシステム。
【請求項７】
前記ストロークは、
前記所定のキーを継続的に押したままにすること、または
該所定のキーを繰り返し押すこと、のいずれか１つである、請求項６に記載のシステム。
【請求項８】
前記所定のキーストロークは、所定の配列のキーを押すことである、請求項６に記載のシステム。
【請求項９】
請求項１〜８のいずれか一項に記載の情報アクセスシステムを備える携帯型デバイスであって、
情報を表示するディスプレイ（１２）と、
該情報の要求を受けるマンマシンインターフェース（２２）と、
該ディスプレイおよび該マンマシンインターフェース（２２）に連結され、かつ前記アクセスモジュール（２８）を備えるプロセッサ（１６）と、
該情報を備えるメモリ（１８）と
を備える、携帯型デバイス。
【請求項１０】
前記マンマシンインターフェースは、所定のインディシアを担持するキーを有するキーボード（１３０）を備える、請求項９に記載の携帯型デバイス。
【請求項１１】
前記所定のインディシアは、緊急医療記号を含む、請求項１に記載の携帯型デバイス。
【請求項１２】
前記所定の配列のキーは、「Ｉ」、「Ｃ」、「Ｅ」である、請求項９〜１２のいずれか一項に記載の携帯型デバイス。
【請求項１３】
前記メモリは、加入者情報モジュールである、請求項９〜１３のいずれか一項に記載の携帯型デバイス。
【請求項１４】
緊急時の情報が専用のファイルに格納される、請求項１３に記載の携帯型デバイス。
【請求項１５】
前記専用のファイルは、緊急時のユーザ基本ファイルおよび緊急時の連絡先基本ファイルを備える、請求項１４に記載の携帯型デバイス。
【請求項１６】
前記緊急時のユーザ基本ファイルは、氏名、住所、国名、時間帯、（１つまたは複数の）言語、電話番号、携帯電話番号、旅行者団体の情報、血液型、および備考のうちの１つ以上を含む複数個のフィールドを備える、請求項１５に記載の携帯型デバイス。
【請求項１７】
前記緊急時のユーザ連絡先ファイルは、氏名、関係、住所、時間帯、国名、（１つまたは複数の）言語、自宅電話番号、勤務先電話番号、携帯電話番号、備考、および「ユーザと共に旅行しているか否か」のうちの１つ以上を含む複数個のフィールドを備える、請求項１５に記載の携帯型デバイス。
【請求項１８】
前記ディスプレイ（１２）は、テキストおよびグラフィックのうちの少なくとも１つを表示可能である、請求項９〜１７のいずれか一項に記載の携帯型デバイス。
【請求項１９】
前記テキストは、「ＩＣＥ」を含む、請求項１８に記載の携帯型デバイス。
【請求項２０】
前記グラフィックは、緊急時の記号を含む、請求項１８に記載の携帯型デバイス。
【請求項２１】
複数個の緊急時のエントリが表示される、請求項１８に記載の携帯型デバイス。
【請求項２２】
前記テキスト「ＩＣＥ」および緊急時の記号が表示される、請求項１８に記載の携帯型デバイス。
【請求項２３】
前記テキスト「ＩＣＥ」および緊急時の記号は、緊急情報が存在することを示すために太字で表示される、請求項２２に記載の携帯型デバイス。
【請求項２４】
前記テキスト「ＩＣＥ」および緊急時の記号は、緊急時の情報が存在しないことを示すために、
グレー表示されるか、
文字を構成するために破線の部分を使用して表示されるか、または
消されて表示されるか、
のいずれか１つで表示される、請求項２２に記載の携帯型デバイス。
【請求項２５】
前記携帯型デバイスが、セル式電話、ワイヤレスデバイス、パーソナルインフォメーションアシスタント、ＭＰ３プレイヤ、および多機能携帯電子デバイスの１つである、請求項９〜２４のいずれか一項に記載の携帯型デバイス。
【請求項２６】
前記携帯型デバイスは、該携帯型デバイスのアクセス手順内に緊急時の状態を含む、請求項９〜２５のいずれか一項に記載の携帯型デバイス。
【請求項２７】
前記緊急時の状態は、前記携帯型デバイスがアンロックされている場合に利用可能な緊急時の情報により定義される、請求項２６に記載の携帯型デバイス。
【請求項２８】
前記携帯型デバイスが前の状態ではロックされていた場合、緊急時の情報のみが利用可能となる、請求項２７に記載の携帯型デバイス。
【請求項２９】
緊急時のアンロック機能は、前記携帯型デバイスを、前のアクセス手順の状態から該緊急時の状態に移行させる、請求項２６、２７、または２８に記載の携帯型デバイス。
【請求項３０】
オフキーが、前記携帯型デバイスを、前記緊急時の状態から待機状態に移行させる、請求項２６〜２９のいずれかに記載の携帯型デバイス。
【請求項３１】
マンマシンインターフェース（２２）に関連付けられたロック条件を有する情報システムにある情報および／または該情報へのアクセスを制限するためのメモリ（１８）に格納された情報へのアクセスを提供する方法であって、該方法は、
該情報を該メモリに格納するステップと、少なくとも１つの所定の操作に従って該ロック条件をバイパスまたは無効化することによって、該メモリ内の該情報のサブセットにのみアクセスを提供するステップとを含む、方法。
【請求項３２】
前記情報を格納するステップは、
データをウェブベースのユーザインターフェースを経由して入力するステップ、
データをパーソナルコンピュータのユーザインターフェースを経由して入力するステップ、または
データを携帯型デバイスのキーボードを経由して入力するステップ
のいずれか１つまたは組み合わせを含む、請求項３１に記載の方法。
【請求項３３】
前記情報のサブセットは、携帯型デバイスに格納された緊急時の情報である、請求項３１または３２に記載の方法。
【請求項３４】
前記デバイスが緊急時の情報を全く有していない場合に、緊急時の情報を追加するようにユーザに警告するステップをさらに含む、請求項３３に記載の方法。
【請求項３５】
前記デバイスのＳＩＭが緊急時の情報を全く有していない場合に、緊急時の情報を追加するようにユーザに警告するステップをさらに含む、請求項３３に記載の方法。
【請求項３６】
緊急時の情報を有するＳＩＭが緊急時の情報を有するデバイスに挿入されるとき、前記ユーザに警告するステップをさらに含み、該ステップによって、該ユーザは、どちらが保持すべき適切な一組の情報であるかを示し得、かつ該ユーザがその緊急時の情報を編集および構成可能である、請求項３４に記載の方法。
【請求項３７】
緊急時の情報をサーバに格納することにより、該緊急時の情報を、
新しいデバイスまたは交換デバイスのいずれか１つに移すことができるステップをさらに含む、請求項３３〜３６のいずれか一項に記載の方法。
【請求項３８】
モバイル機器の加入者情報モジュールカードを交換するときに、該モバイル機器の緊急時の情報を格納するステップをさらに含む、請求項３３〜３７のいずれか一項に記載の方法。
【請求項３９】
ユーザに前記緊急時の情報を更新するように促すステップをさらに含む、請求項３８に記載の方法。
【請求項４０】
ユーザに前の緊急時の情報を前記交換加入者情報モジュールカードにコピーするように促すステップをさらに含む、請求項３８に記載の方法。
【請求項４１】
前記緊急時の情報は、旅行／小旅行の連絡先および情報を含む、請求項３３〜４０のいずれか一項に記載の方法。
【請求項４２】
旅行／小旅行の終了日に達したとき、ユーザに警告するステップをさらに含む、請求項４１に記載の方法。
【請求項４３】
前記緊急時の情報は、ＭｅｄｉｃＡｌｅｒｔ、ＭｙＬｉｆｅＣａｒｄ、およびその他の医療データベースの１つ以上の連絡先を含む、請求項３３〜４２のいずれか一項に記載の方法。
【請求項４４】
緊急時の情報は、２つ以上の言語で提供される、請求項３３〜４３のいずれか一項に記載の方法。
【請求項４５】
緊急時対応要員が前記言語を選択可能であるステップをさらに含む、請求項４４に記載の方法。
【請求項４６】
携帯型デバイスに緊急時の情報を提供するためのコンピュータプログラム製品であって、該コンピュータプログラム製品は、該携帯型デバイスに請求項３１〜４５のいずれか一項に記載の方法を実装するためのコンピュータ読み取り可能媒体具現化プログラムコード手段を備える、コンピュータプログラム製品。
【発明の詳細な説明】
【技術分野】
【０００１】
本特許は、概して、携帯型デバイスに関し、より具体的には、情報アクセスをそのようなデバイスに提供するシステムと方法に関する。
【背景技術】
【０００２】
世界は、その人間居住者に対して多くの危険な状況を与える。その一部には、例えば、津波、ハリケーン、竜巻、洪水、地滑り等のような自然災害が挙げられる。その他には、例えば、交通事故、戦争行為、およびテロ行為等のような人為的なものが挙げられる。これら全ての事象について１つの共通するものは、そのような状況のもとで、できるだけ短時間にできるだけ効果的な方法で被害者を助ける必要である。非個人的な事象が起こり、人間が負傷したときに、その事象は個人の医療情報へのアクセスに関してごく個人的なものとなり、かつ緊急連絡先は決定的に重要なものとなる。緊急時の（Ｉｎ  Ｃａｓｅ  ｏｆ  Ｅｍｅｒｇｅｎｃｙ；ＩＣＥ）情報は、災害や事故の被害者の処置のために重要である。災害がまた、通信システム等のような局所的なインフラストラクチャの損害の原因にもなっている場合、この情報を入手することは特に困難である。皮肉なことに、広範囲にわたる災害の間に最も必要とされるシステムは、その同じ災害によって危機にさらされ得る。
【０００３】
従って、通信インフラストラクチュアへのリアルタイムのアクセスに依存せずに、個人のＩＣＥ情報を提供する必要がある。
【０００４】
この必要性を満足するために種々の提案がなされてきた。例えば、特許文献１は、近親者、血液型、アレルギーの詳細等の個人情報を格納したセル式電話に組み込まれたＳＯＳのお守り（ｔａｌｉｓｍａｎ）を開示している。この情報は、この電話に関連したＩＤを使用して取りだされ得るか、または第２の電話に伝送され得る。同様の提案は特許文献２に記述されている。特許文献３は、患者となり得る者が、緊急人員が緊急の事象において個人情報にアクセスするために使用され得るモバイル機器用の別個のＳＩＭカードを携行すべきであることを提案している。
【０００５】
たとえそのデバイスに格納されたその他の情報へのアクセスを制限するために、そのデバイスがロックされている場合であっても、緊急サービスに対して容易にアクセス可能である方法で、ＩＣＥ情報をモバイルデバイスへ格納可能であることが望ましい。
【特許文献１】英国特許出願公開第２４０１２８５号明細書
【特許文献２】特開第２００４−１２０４６７号公報
【特許文献３】国際公開第２００４／１０４８９８号パンフレット
【発明の開示】
【課題を解決するための手段】
【０００６】
（概要）
本発明の好適な実施形態は情報アクセスシステムを提供し、該システムは、情報を格納するための情報リポジトリと、この情報へのアクセスを提供し、かつマンマシンインターフェースに関連付けられたロック条件および／またはこの情報へのアクセスを制限するために情報リポジトリに格納された情報を有するアクセスモジュールとを備え、このアクセスモジュールは、このロック条件をバイパスまたは無効化することによって、このマンマシンインターフェースで所定の操作に対応するこの情報のサブセットにのみアクセスを提供するように配置されている。
【０００７】
この情報のサブセットは、ＩＣＥ情報であり得る。
【０００８】
別の態様では、本発明は、マンマシンインターフェースに関連付けられたロック条件および／または情報へのアクセスを制限するためのメモリに格納された情報を有する情報システム内の情報へのアクセスを提供する方法を提供し、該方法は、この情報をメモリに格納するステップと、このロック条件をバイパスまたは無効にすることによって、少なくとも１つの所定の操作に依存して、このメモリ内のこの情報のサブセットにのみアクセスを提供するステップとを含む。
【０００９】
本特許開示の実施形態は、ここで以下の図面を参考として、単なる例示として、説明される。
【発明を実施するための最良の形態】
【００１０】
本特許開示は、上述問題点の１つ以上の解決策を記述したものである。したがって、本特許開示は、携帯型デバイスに情報アクセスを提供するシステムおよび方法を教示するものである。
【００１１】
大多数の個人に共通していることの１つは、携帯型電子デバイスを携行していることである。例えば、Ｍｏｔｉｏｎ  Ｐｉｃｔｕｒｅ  Ｅｘｐｅｒｔｓ  Ｇｒｏｕｐ，Ａｕｄｉｏ  Ｌａｙｅｒ３（ＭＰ３）プレイヤ等の個人用音楽再生デバイス、パーソナルデータアシスタント（ＰＤＡ）、ならびにセル式電話および電子メールデバイス等のような種々のワイヤレスデバイスが挙げられる。ある所与の日に、ある個人がこれらのデバイスをいくつか携行している可能性がある。
【００１２】
携帯型電子デバイスの製造業者はますます、いくつかの異なるデバイスの機能を１つのデバイスに組み合わせつつある。その最近の例は、デジタルカメラまたはＭＰ３プレイヤの機能を含んだセル式電話である。この傾向は、各々の新しい世代のデバイスに伴う更なる統合化の予想により、続くものと期待される。この傾向は、個人がそのような機器を携行する見込みを高める。現在の世代のデバイスは多数の共通な構成要素を有するので、この機能の統合化は可能である。このような共通の構成要素には、ディスプレイ画面、入力／出力ポート、中央処理装置（ＣＰＵ）、メモリ、電源モジュール、および触覚性マンマシンインターフェース（ｔａｃｔｉｌｅ  ｍａｎ−ｍａｃｈｉｎｅ  ｉｎｔｅｒｆａｃｅ）を含む。
【００１３】
本特許開示の実施形態に従って、情報を提供するための、情報アクセスシステムが提供される。この情報アクセスシステムは、情報を格納するための情報リポジトリと、この情報へのアクセスを提供するアクセスモジュールとを備える。
【００１４】
本特許開示の実施形態に従って、緊急時の情報を表示するためのディスプレイ、緊急時の情報の要求を受けるためのマンマシンインターフェース、ディスプレイおよびマンマシンインターフェースと結合され、かつ所定の操作に依存して緊急時の情報にアクセスするためのアクセスモジュールを含むプロセッサ、ならびに緊急時の情報を含むメモリを備える、携帯型デバイスが提供される。
【００１５】
本特許開示の別の実施形態に従って、情報をメモリに格納するステップと、少なくとも１つの所定のキーストロークに依存してその情報へのアクセスを提供するステップとを含む、携帯型デバイス上の情報アクセスを提供する方法が提供される。
【００１６】
本特許開示のシステムおよび方法は、実施形態を最良に構成しかつ使用することが可能な方法の種々の実施例を参考として、ここで記述される。簡便のため、明細書全体およびいくつかの図面を通して、同様または対応する部品を示すために同様の参照番号が使用され、種々の構成要素は必ずしも正しい縮尺で図示されない。
【００１７】
図１を参照すると、一般的な携帯型電子デバイス１０の実施例が構成要素図により図示され、この実施例において本特許開示の実施形態が実装され得る。この一般的な携帯型デバイス１０は、ディスプレイ画面１２、入力／出力ポート１４、プロセッサ１６、メモリ１８、電源モジュール２０、および触覚性マンマシンインターフェース２２を含む。これらの構成要素は、個人が日常生活において自らと共に携行する携帯型電子デバイスに共通である。有利なことに、そのようなデバイスのユビキタス特性が、ＩＣＥ情報をそのようなデバイスに格納するために、本システムおよび方法により使用されている。ＩＣＥ情報を格納するのに好適な携帯型デバイスの実施例としては、セル式電話、ワイヤレスデータ／電子メールデバイス、ＰＤＡ、およびＭＰ３プレイヤが挙げられる。
【００１８】
図２を参照すると、本特許開示の実施形態に従って、情報を格納および提供するための情報アクセスシステム２５の実施例が、ブロック図により図示されている。この情報アクセスシステム２５は、情報を格納するための情報リポジトリ２６、およびこの情報へのアクセスを提供するアクセスモジュール２８を備える。その他の構成要素がこの情報アクセスシステム２５に付加され得る。この情報アクセスシステム２５の構成要素は、携帯型デバイス１０の構成要素により実装され得る。デバイスに格納されている情報はロックされ得る。このような情報のロックは、特定の保護された情報へのユーザのアクセスおよび／または全てのユーザに対して保護されたデバイス全体を含み得る。有利なことに、この情報をアンロックするために、所定のキーストロークが使用され得る。すなわち、ロックされたデバイスはこの情報を提供するためにアンロックされ得るか、またはアンロックされたデバイス内で保護されている情報へのアクセスが提供され得る。ロック条件の実施例は、以下にさらに記述される。
【００１９】
好ましくは、緊急時の（ＩＣＥ）情報を格納するためおよび該情報へのアクセスを提供するために、情報アクセスシステム２５が使用される。この開示のこれ以降の部分では、ＩＣＥ情報に関する発明について述べる。しかし、その他の情報がＩＣＥ情報の代わりに使用され得る。
【００２０】
デバイス１０のＩＣＥ情報格納のために、リポジトリ２６がメモリ１８内に実装され得る。種々の携帯型デバイス内のメモリの実施例は、取り外し可能なＳＩＭを伴うワイヤレス端末用の加入者情報モジュール（ＳＩＭ）カード、および取り外し可能なＳＩＭまたはこれと均等のものを持たないワイヤレス端末用のモバイル機器（ＭＥ）を含む。本開示においては、加入者情報モジュールという用語は、ＳＩＭ、ユニバーサルＳＩＭ（ＵＳＩＭ）、インターネットプロトコルマルチメディアサービス識別モジュール（ＩＳＩＭ）、取り外し可能なユーザ識別モジュール（ＲＵＩＭ）、およびその他の取り外し可能な加入者情報モジュールを含む。ＩＣＥ情報はまた、デバイスがＳＩＭカードを使用している場合でさえ、ＭＥに格納され得る。このようなＭＥ内での格納は、ＩＣＥ情報を失うことなしに、かつＳＩＭカードに情報を直ちにダウンロードする必要性なしに、ユーザがＳＩＭを変更することを可能にする（例えば、ローミングの場合）。このようなＭＥ内の格納はまた、オペレータがＩＣＥを実装していない新しいＳＩＭを供給する場合に、ユーザがＩＣＥ情報を利用可能な状態にする。
【００２１】
図３を参照すると、本ＩＣＥシステムの実施形態に従って、ＩＣＥ情報（３０）をロードする実施例が、情報フロー図により図示されている。図３の方法３０では、種々の携帯型デバイスがＩＣＥ情報をロードするために考慮されている。ユーザ３２は、デバイスの種類およびユーザが利用可能なリソースに依存して、数多くの異なる手法のうちの任意の１つを使用し得る。直接的な手法としては、ユーザ３２はデバイスをデバイスの小売店３４に持って行き、ここでは、任意のデバイス（例えば、データデバイス３６、セル式電話３８、ＰＤＡデバイス４０またはＭＰ３デバイス４２）が、デバイスの小売店３４のコンピュータにケーブル接続、赤外線接続、またはＢｌｕｅｔｏｏｔｈ（ＴＭ）接続によって、ＩＣＥ情報を直接的にロードされ得る。同様に、ユーザ３２は、ユーザの携帯型電子デバイス３６、３８、４０、または４２上のＩＣＥ情報を追加、削除、変更、または更新し得る。
【００２２】
ユーザ３２がパーソナルコンピュータ４４を有する場合、ユーザの携帯型電子デバイス３６、３８、４０、または４２上のＩＣＥ情報のロード、追加、削除、変更、または更新のためにケーブル、赤外線、またはＢｌｕｅｔｏｏｔｈを経由したデバイスへの接続が使用され得る。製造業者から、またはワイヤレスオペレータから、ユーザのパーソナルコンピュータ（ＰＣ）にダウンロードされたプログラムは、ユーザがデータを恐らく全体をそのままＰＣ画面上で入力することおよび見ることを可能にする。そのデータに対する変更がなされ得、次いでそのＩＣＥ情報は、ケーブルまたはＢｌｕｅｔｏｏｔｈを経由してＰＣからデバイスへ直接ダウンロードされ得る。
【００２３】
直接リンクに加えて、ＩＣＥ情報をロード、追加、削除、変更、または更新するため、ならびにこの情報をデータベース５４に集中して格納する、そしてユーザの携帯型電子デバイス３６、３８、４０、または４２に格納するために、デバイスの製造業者のシステム４６、４８、５０、または５２にアクセスするためにコンピュータ４４はウェブブラウザ４５を使用し得る。ＱＷＥＲＴＹキーボードを有したり、有さなかったりする携帯型デバイスのために、オペレータにリンクされるコンピュータ端末または製造業者のコンピュータシステムの使用は、大変ユーザに使いやすい、容易に情報を入力する方法、および必要に応じてＩＣＥ情報の復元のためにデータを格納する方法を提供する。オペレータまたは製造業者は、情報を異なるディスプレイ特性の他のデバイスに適合させる手段、または情報を他のフォーマットに適合させるユーザを補助する手段を提供し得る。
【００２４】
ワイヤレス通信能力を有する携帯型デバイスについては、携帯型電子デバイス３６、３８、または４０のＩＣＥ情報をロード、追加、削除、変更または更新するために、ワイヤレスオペレータコンピュータにアクセスするために、ウェブブラウザ４５を使用することができる。このような変更はデータベース５８に格納し、その後ワイヤレスネットワーク６０を経由して携帯型電子デバイス３６、３８、または４０に移行させることができる。
【００２５】
最後に、キーパッド、キーボード、タッチパッド、およびスタイラスデバイス等のようなユーザ入力インターフェースを有する携帯型デバイス３６、３８、４０、または４２は、ＩＣＥ情報の直接的な入力６２を有し得る。異なる端末キーボード（図１のマンマシンインターフェース２２）エントリの実施例には、セル式電話または同様のキーパッドのＴＡＰまたはｉＴＡＰ法、一部のＢｌａｃｋＢｅｒｒｙ（ＴＭ）モデルのＳｕｒｅＴｙｐｅ（ＴＭ）、およびＱＷＥＲＴＹキーボードのタイピングを含む。
【００２６】
その後、これらをパーソナルコンピュータ、または携帯型デバイスおよびコンピュータ４４に常駐するソフトウエアにローカル通信リンクを提供するＢｌｕｅｔｏｏｔｈ等のようなワイヤレスインターフェースにリンクすることができる入力／出力ポートを使用して、ＩＣＥ情報を集中管理データベースと同期させることができる。代案として、ワイヤレスデバイスについては、同期化はワイヤレスネットワーク６０を経由して完了することができる。
【００２７】
一部の場合では、例えば、子供が使用するデバイスの場合、ＩＣＥ情報のロードの責任者は、実際のユーザ（子供）よりむしろ親または保護者とすることがありうる。これは、例えば、ＭＰ３プレイヤの音楽ダウンロードと共に、クレジットカードの請求情報とリンクさせることができる。
【００２８】
実装の一実施例は、オペレータの、または製造業者のデータベース（５４または５８）へのアクセスと共に、ＩＣＥデータの独立入力のためのローカル接続を有するユーザのＰＣ４４のプログラムである。このデータのアーカイブ化は、交換または追加のデバイスが使用されるまたは望まれるときに、復旧を短時間で行なうことを可能にする。
【００２９】
図４ａおよび図４ｂは、情報アクセスシステム２５の実施形態に従って、種々のディスプレイ画面７０、８０を図示する。図４ａを参照して、種々の携帯型デバイスの種々の形式の待機画面７１、７２、７３、７４、７５および７６が図示されている。好ましくは、ＩＣＥ待機画面は、ディスプレイの大きさおよびデバイスの能力に適合される。小さいディスプレイは、７１に示すようにＩＣＥ情報を見るための指示のみしか表示できない場合がある。わずかに幅広いディスプレイ７２および／またはより大きいディスプレイ７３は、主要ＩＣＥ連絡先を表示できる場合がある。さらに大きいディスプレイ７４または７５は、ＩＣＥ情報を見るための指示と、ＩＣＥ情報を共に表示することができる。画面がより大きくなると、所望に応じて、表示する情報の量を増やせる場合がある。代替案として、デバイスのユーザが好む場合は、ＩＣＥ待機画面は、７１または７６に示すようにＩＣＥ情報にアクセスする方法の指示のみを表示してもよい。待機画面７６では、画面はＩＣＥエントリ１からＩＣＥエントリＮまでを通して繰り返し、ここでＮは１より大きい整数であり、かつＩＣＥエントリは完全な詳細を入力させることができるものである。
【００３０】
緊急医療チームまたは第１の対応要員がさらなるＩＣＥ情報を必要とする場合（ＩＣＥの第１の連絡先がＩＣＥ待機画面に表示されている場合）、彼らは指示に従いそのＩＣＥ情報にアクセスすることが可能である。図４ｂを参照して、種々の携帯型デバイスの種々の形状のＩＣＥディスプレイ画面８１ａおよび８１ｂ、ならびに８２ａおよび８２ｂが図示されている。ディスプレイ画面８１ａおよび８１ｂでは、画面はＩＣＥエントリ１からＩＣＥエントリＮまでを通して繰り返す。８１ａおよび８１ｂのＩＣＥ１画面はその人の代替電話番号を繰り返してもよい。例えば、妻Ａｂｉｇａｉｌのセル式電話番号８１ａ、その後彼女の勤務先電話番号、そしてその後第２のＩＣＥ連絡先８１ｂ、ＩＣＥ２、さらに連絡先の電話番号を通して同様に繰り返す。
【００３１】
より複雑な状況が８２ａおよび８２ｂに図示されている。画面は最初に８２ａに示すようにＩＣＥエントリの選択を一覧にし、それから８２ｂに示すように詳細を伴う１つのＩＣＥエントリを選択させる。例えば、デバイスの所有者がアラスカ旅行に参加しているとする。彼は、好ましくは彼の妻に最初に連絡し、旅行案内者に次に、その旅行に参加している友人に３番目に連絡してもらいたい。デバイスの所有者は、７６のＩＣＥ待機画面を選択していてもよく、または彼は単純に８２ａの画面をＩＣＥ待機画面として選択することもできる。いずれの場合にも、医療または緊急時対応要員が、彼の妻に連絡を試みた後８２ｂに示した画面に到達した場合、彼らは緊急事態の場所（例えば、これがロサンジェルス空港で起きた）によって、彼は旅行を完了したか、旅行を始めていないかどちらかであると結論付けて、ロサンジェルス近辺の追加の連絡先を探すことができる。彼らは彼が彼自身の連絡先をＩＣＥに保存しているかどうか調べ、その情報を次のステップの考慮に入れる。一方、緊急事態がアラスカで起きた場合、彼の妻に連絡が取れない場合には彼らは旅行案内人に連絡を取ることを試みることができる。実施例の手段として提供されたこれらのオプションは全て、情報アクセスシステム２５の有能さを説明するものである。
【００３２】
図５を参照すると、情報アクセスシステム２５の実施形態に従って、種々の携帯型デバイスのＩＣＥデータ格納チャート９０が図示されている。ＩＣＥ情報の格納は携帯型デバイスの種類による。実施例は、ワイヤレスデバイスおよび有線デバイスについて示されている。ＩＣＥデータベースは、１人以上のセル式電話もしくはワイヤレスシステムオペレータ、ＰＤＡもしくはＭＰ３製造業者、ＢｌａｃｋＢｅｒｒｙインフラストラクチャ、および／またはユーザコンピュータの個別ユーザによって操作され得る（バックアップのために）。
【００３３】
緊急時対応要員にとって、ＩＣＥデータの最も重要な情報源はユーザの携帯型電子デバイスである。図５は、ＩＣＥデータはデータベースに、緊急時対応要員のためのバックアップ（例えば、本来のデバイスの故障または紛失の場合のＩＣＥ情報を交換デバイスへの急速ロード）およびデータの代替情報源もまた提供して、容易に利用できるように格納されていてもよいことを示している。キーボードおよび通信能力を有するデバイスは、これらのデータベースにあるＩＣＥデータを更新することもまた可能である。
【００３４】
セル式電話のユーザのためには、ユーザのＩＣＥデータは彼らのセル式の加入と関連する（経由して復旧可能）。好ましくは、加入情報はホーム位置登録（ＨＬＲ）またはモバイル切り替えセンタ（ＭＳＣ）に設置される。Ｗｉ−Ｆｉ（ＴＭ）プロバイダに登録しているＷｉ−Ｆｉ電話のユーザは、同様に彼らのＩＣＥデータをサービスプロバイダにより格納させ、かつその登録を通してアクセス可能とさせ得る。
【００３５】
セル式または同様の加入を有さない、ＰＤＡもしくはＭＰ３プレイヤまたはその他の携帯型デバイス等のような携帯型デバイスは、デバイス製造業者のユーザのレジストリでもよい。したがって、このデバイス製造業者のレジストリは、交換デバイス等の使用のためにセル式電話デバイスについて上述したものと同じバックアップおよびアクセスを可能にする、製造業者のデータベースに同様に格納されるＩＣＥデータを容認できる。
【００３６】
同様の方法により、ＢｌａｃｋＢｅｒｒｙデバイスは個人識別番号（ＰＩＮ）（そしてたいていの場合、さらにＩｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ）またはＥｌｅｃｔｒｏｎｉｃ  Ｓｅｒｉａｌ  Ｎｕｍｂｅｒ（ＥＳＮ））により識別される。ＰＩＮの使用は、ＢｌａｃｋＢｅｒｒｙインフラストラクチャが、ユーザのＢｌａｃｋＢｅｒｒｙのＰＩＮにより、ユーザのＩＣＥデータと関連付けることを可能にする。さらに、ＢｌａｃｋＢｅｒｒｙユーザのためには、該ユーザのＩＣＥデータはワイヤレスオペレータおよびＢｌａｃｋＢｅｒｒｙサービスの両者により、またはこれらの一方により、協調されたサービスの配列を介して格納されることに留意する。
【００３７】
図６を参照すると、情報アクセスシステム２５の実施形態に従って、例示的なワイヤレスデバイスを操作することができるワイヤレスネットワーク環境が、ネットワーク図で図示されている。図６では、例示的なワイヤレス通信システム１００は複数個のホストサービス（１０２、１０４、および１０６の３つが示されている）を含み、その各々は、電子メール、カレンダ、インターネットウェブブラウザ、および他のアプリケーション等のようなその加入者が利用可能な複数のサービスを有するが、これらに限定されない。この具体的な例では、ホストサービス１０２、１０４、および１０６は一般的にサーバとして構成され、各々少なくとも１つのプロセッサおよび格納手段を含み、各々インターネットのような通信ネットワーク１０８により通信をもたらすことができるネットワークインターフェースを使用する。ホストサービス１０２、１０４、および１０６は、通信ネットワーク１０８を通して、ワイヤレスルータシステム１１０へおよびワイヤレスルータシステム１１０から、メッセージを送受信し、ホストサービス１０２、１０４、および１０６と、ワイヤレスルータシステム１１０との間の通信を行なわせる。
【００３８】
ワイヤレスルータシステム１１０は、複数個のワイヤレスネットワーク（１１４、１１６、および１１８の３つが示されている）に接続され、その各々は複数個のモバイルデバイスをサポートする（１２０、１２２、および１２４が各ワイヤレスネットワーク毎に１つずつ示されている）。ワイヤレスネットワーク１１４、１１６、および１１８は、モバイル通信用グローバルシステム（ＧＳＭ）ネットワーク等のようなセル式電話ネットワーク、または符号分割多元接続（ＣＤＭＡ）ネットワーク、双方向呼び出しネットワーク、ＢｌｕｅｔｏｏｔｈおよびＩＥＥＥ８０２．１１準拠ネットワークおよびその他等のような短距離ワイヤレスネットワークでもよい。モバイルデバイス１２０、１２２、および１２４は対応するワイヤレスネットワークに対応したデバイスである。
【００３９】
モバイル通信デバイス１２０、１２２、および１２４は、ホストサービス１０２、１０４、１０６等のような他のモバイル通信デバイスまたはコンピュータシステムと、ワイヤレスルータ１１１および通信ネットワーク１０８を含む送受信器ステーションのネットワークを通して通信する能力を有する、先進的データ通信能力を伴う双方向通信デバイスである。モバイル通信デバイス１２０、１２２、および１２４は、音声通信を可能とする能力もまた有してもよい。与えられた機能により、データメッセージデバイス、双方向呼び出しデバイス、データメッセージ能力を持つセル式電話、ワイヤレスインターネット機器、またはデータ通信デバイス（電話としての機能ありまたは無し）として参照してもよい。先に示したリストは包括的なものを意味せず、本明細書に記述された実施形態は、上述のリストに記載されていてもいなくても、いかなる種類のモバイルデバイスにも実用できる。
【００４０】
ホストサービス１０２、１０４、および１０６の主要な目的は、メールサーバ（図示せず）、モバイル通信デバイス１２０、１２２、および１２４等のような他の情報源から受けた情報を処理すること、ならびに情報を、一般的には異なるホストサービス１０２、１０４、１０６、メールサーバまたはモバイル通信デバイス１２０、１２２、もしくは１２４等適切な受信者に対して送ることである。ホストサービス１０２、１０４、および１０６は、電子メールを送信および受信ならびに一般的であるようにメールサーバと通信するために構成される。メールサーバには、例えば、Ｍｉｃｒｏｓｏｆｔ（ＴＭ）Ｅｘｃｈａｎｇｅ（ＴＭ）サーバ、Ｌｏｔｕｓ（ＴＭ）Ｄｏｍｉｎｏ（ＴＭ）サーバ、Ｎｏｖｅｌｌ（ＴＭ）Ｇｒｏｕｐ  Ｗｉｓｅ（ＴＭ）サーバ、インターネットメッセージアクセスプロトコル（ＩＭＡＰ）サーバ、ポストオフィスプロトコル（ＰＯＰ）サーバ、または当業者により容易に理解されるウェブメールサーバもしくはその他の任意のメールサーバ等を含み得る。ホストサービス１０２、１０４、および１０６は、そのプロセッサ内で所望のメッセージの送受信、加えて適切な情報の取り扱いを達成するためのソフトウエアモジュールもまた含む。１つの実施形態において、各ホストサービス１０２、１０４、１０６のソフトウエアモジュールは、メッセージモジュールで、そのメッセージモジュールは、少なくとも１つの外部メールサーバからメッセージを受けるため、モバイル通信デバイス１２０、１２２、１２４にメッセージを送信するため、同じモバイル通信デバイスからメッセージを受けるため、および少なくとも１つの外部メールサーバにメッセージを送信するために適合される。この少なくとも１つの外部メールサーバは、例えば、少なくとも１つのモバイルデータサーバであってもよい。ワイヤレスルータシステム１１０は、ローカルサービス１１２等のようなホストサービスに、通信ネットワーク１０８無しに直接接続されていてもよい。他の実施形態では、ホストサービス１０２、１０４、および１０６が、モバイル通信デバイス１２０、１２２、および１２４と直接通信することが可能である。この実施形態では、ホストサービス１０２、１０４、および１０６は、通信をワイヤレスルータシステム１１０の補助無しでモバイル通信デバイス１２０、１２２、および１２４へアドレスすることが可能である。
【００４１】
図７を参照すると、情報アクセスシステム２５の実施形態に従って、ＩＣＥ情報を提供するためのモバイル通信デバイス１２６の実施例が図示されている。モバイル通信デバイス１２６はセル式電話であり得、これはディスプレイ画面１２８およびキーボード１３０を含む。キーボード１３０はＩＣＥのインディシアを担持したキー１３２を含む。本実施例では、ＩＣＥのインディシアは先端が四角形状のアスタリスクで示され、アメリカ合衆国の米国高速道路安全局（ＮＨＴＳＡ）の認証マーク「スターオブライフ」を示す。この記号は、種々の国で星の部分を他のデザイン要素に付け加えられて、世界中の緊急医療サービス組織により採用されてきたものである。
【００４２】
モバイル通信デバイス１２６の所有者が無意識状態または半意識状態となっている、緊急事態が生じた時、操作時に、第３者が友人または親戚の電話リストにアクセスするのを防ぐために、このモバイル通信デバイス１２６はロックされた条件であってもよい。図案化されたインディシアを担持したキー１３２が押されると、ＩＣＥ情報１３４が表示される。ロックされたディスプレイ１２８は、「ＩＣＥ」１３４およびＩＣＥ情報の利用可能性を示す任意の記号を表示することにより、「ＩＣＥ」情報の存在を示すことができる。
【００４３】
図８を参照すると、情報アクセスシステム２５の実施形態に従って、ＩＣＥ情報を提供するためのモバイル通信デバイス１４０の他の実施例が図示されている。このモバイル通信デバイス１４０は、電子メールデバイスであり得、ディスプレイ画面１４２およびキーボード１４４を含み、この両者はどちらも図７のモバイル通信デバイス１２６よりも大きい。キーボード１４４は、図案化したインディシアを担持したキー１４６を含む。このような、より大きいディスプレイを伴うデバイスは、「ＩＣＥ」情報を表示するための指示を含む、さらなる情報を提供し得る。
【００４４】
図９を参照すると、情報アクセスシステム２５の実施形態に従って、ＩＣＥ情報を提供するための、モバイル通信デバイス１４０のさらに詳細な実施例が図示されている。この移動通信デバイス１４０は、ＩＣＥ情報１４８を表示するためのディスプレイ画面１４２、マンマシンインターフェース（ＭＭＩ／Ｆ）１４９、プロセッサ１５０、送受信器１５１、およびＳＩＭカード１５２を含む。このＳＩＭカード１５２には、ＩＣＥデータ１５４が含まれる。ＳＩＭカード１５２を持たない、しかしメモリ１５６を有するデバイスでは、ＩＣＥデータ１５８はプロセッサ１５０によるアクセスのためにその中に格納される。このＩＣＥ情報は異なる方法でも格納することができる。例えば、このＩＣＥ情報は、ＩＣＥの分離されたリストとして、またはＩＣＥフィールドを加えた標準電話リストの一部として格納されていてもよい。
【００４５】
携帯型デバイス内の情報は、安全上の理由でしばしばロックされている。好ましくは、ＩＣＥ情報が携帯型デバイスに一旦ロードされると、ａ）このデバイスがＩＣＥ能力を持っている可能性の表示がある、ｂ）第１の対応要員および緊急人員によるアクセスの容易さがある、ｃ）（ＩＣＥ情報の）使用の容易さがある、ｄ）このデバイスがロックされている場合には、ＩＣＥでないＰＡＢ（個人アドレス帳）およびその他の情報の保護がある、ｅ）このデバイスのロックおよびＩＣＥアクセス機能の分離があるため、ＩＣＥへのアクセスは基本デバイスおよび（存在する場合には）ＳＩＭの安全には障害が無い。
【００４６】
マンマシンユーザインターフェース事象は、ＩＣＥ情報をアンロックするように指定され得る。例えば、「＊」キー（アスタリスクまたは「スターオブライフ」）を３回もしくは４回、または「＊」キー（アスタリスクまたは「スターオブライフ」）を２秒間押し続ける。好ましくは、これらの実施例の１つが全ての携帯型デバイスの標準として使用され得る。
【００４７】
有利なことに、このアスタリスクは「スターオブライフ」と一部同様の特徴を有し、かつ多くのキーボードと共通であり、このアスタリスクは３ＧＰＰの仕様に従い必要とされるキーである。３回押すことは、３ＧＰＰの仕様に従い補助的なサービスコードとして使用される場合があるので、４回押すことは、好ましい実施である。ＩＣＥアクセス方法を使用することによる、デバイスに不都合な効果が無いことが好ましい使用の容易さを高めるために、デバイスがセル式電話であり、かつロックされた状態または待機状態の場合（かつ補助的なサービスコードを許容しない場合）、「＊」（アスタリスク）または「スターオブライフ」を３回押すことによってもまた、デバイスがＩＣＥ情報を開くことがさらに推奨され、補助的なサービスコードはセル式電話がアンロックされた状態の場合でのみ入力されるので、このような短縮コードと潜在的なアスタリスクを３回押すことを補助的なサービスコードに使用することとは、干渉しない。
【００４８】
一部のデバイスはキーパッドを有しないので、「＊」キーを利用することができない場合がある。そのような機器の実施例には、ＭＰ３プレイヤおよびその他の携帯型音楽デバイス、ならびにセル式電話のキーパッドを有さないが特別に適合されたユーザインターフェースを使用する子供用のセル式電話が含まれる。このようなデバイスは一般的に、メニューへアクセスすることができる、何らかの形式のマンマシンインターフェース（例えば、ｉＰｏｄ（ＴＭ）はサムホイールおよびセレクトボタンを有する）を有する。これらの場合、ＩＣＥ情報をメニューアイテムとして配置させ得る。
【００４９】
図１０は、情報アクセスシステム２５の実施形態に従って、ロックされたモバイル通信デバイス（１６０）から情報を得る実施例をフローチャートにより示している。この方法（１６０）は、（アスタリスクを４回押すことのような）特定されたマンマシン事象（１６２）を受けることから始まる。次に、マンマシン事象（１６４）に対応して情報が表示される。この情報は携帯型デバイスがロックされていても表示される。この方法（１６０）は完了する。情報をローカルまたは遠隔のリポジトリから得ることを含む、その他のステップがこの方法に加えられてもよい。この方法（１６０）は携帯型デバイス１６またはマンマシンインターフェースモジュール２２のプロセッサで実装されてもよい。有利なことに、この方法はＩＣＥ情報をロックされたデバイスから得るのに使用してもよい。この方法は他の情報を得るためにも使用されてもよい。これに続く方法の実施形態の実施例は、「ＩＣＥ情報」という用語を使用して以下に記述される。その他の情報を「ＩＣＥ情報」の代わりに好適に使用してもよい。
【００５０】
ほとんどの携帯ワイヤレスデバイスは今ではＳＩＭまたは同等のものを使用しているが、一部では使用していない。ＳＩＭ等のモジュールが無いセル式電話の実施例としては、ＣＤＭＡセル式電話が挙げられる。（一部のデバイスモジュールはＲＵＩＭを有し得ることに留意）。ユーザが携帯していてもよい、セル式電話でないワイヤレスデバイスの実施例としては、Ｗｉ−Ｆｉ電話が挙げられる。
【００５１】
情報アクセスシステム２５および方法（１６０）は、ＳＩＭまたは同等のものが使用されているかどうかに関わらず、ユーザがしばしば携行するワイヤレスデバイスを含む、携帯型デバイスに実装されていてもよい。例えば、この情報アクセスシステム２５および方法（１６０）はセル式電話、ライセンス契約していないＷｉ−Ｆｉ（ワイヤレスＬＡＮ）電話、衛星電話（イリジウムおよびその他）、ｉＰｏｄ、ＰＤＡ、およびその他のワイヤレス通信の無い携帯型電子デバイスに実装されていてもよい。
【００５２】
図１１を参照すると、情報アクセスシステム２５の実施形態に従って、ＩＣＥ情報を得るためにワイヤレスデバイスをアンロックする方法の実施例が、フローチャートにより図示されている。ワイヤレスデバイスは、ブロック１７０で示されるようにロックされている。キーストロークが判断ブロック１７２で検出され処理ブロック１７４に格納される。このキーストロークが、処理ブロック１７６でデバイスユーザのパスワードと比較され、合致した場合１７８は、処理ブロック１８０で示されるようにこのデバイスはアンロックされる。合致しなかった場合１７８は、格納されたキーストロークは判断ブロック１８２にあるＩＣＥアクセスと比較される。合致した場合１８２は、「ＩＣＥ」情報へのアクセスが許諾される１８４。
【００５３】
携帯型デバイスの世代に依存して、この情報にアクセスするために種々のキーストロークが使用され得る。「ＩＣＥ」情報を表示するためのアンロックコードとして、ＩＣＥすなわち４２３を使用し得るか、または「＊」キーを繰り返して（例えば、４回）もしくは十分長い時間押し続けて使用し得ることが好ましい。この「＊」インディシアは上述の「スターオブライフ」の表現によって代替されたり、されなかったりする。
【００５４】
ロックされたディスプレイは、「ＩＣＥ」およびこれを示すために選択された任意の記号を表示することにより、「ＩＣＥ」情報の存在を示す。例えば、「スターオブライフ」が表示されてもよく、または「スターオブライフ」の表現が「＊」の代わりにアスタリスクキー上に使用されてもよい。これは、６つの先端が四角くなった６点のアスタリスク、または実際の「スターオブライフ」であってもよい。
【００５５】
図８に示されるような、より大きいディスプレイを有するデバイスは、「ＩＣＥ」情報を表示するための指示を含む、さらなる情報を提供することができる。好ましくは、新しいデバイス、および可能な場合はこれらの従来からのデバイスに対して、ＩＣＥのインディシアは、そのデバイスにＩＣＥ情報があるかどうかを示す。例えば、太字の記号（インディシア）はＩＣＥ情報があることを示し、「グレー表示された（ｇｒｅｙｅｄ−ｏｕｔ）」シンボルは情報が無いことを示す。旅行が終了した後（日付が達したとき）、ユーザに警報を表示することもできる。電源を入れる度、または他の何らかの選択されたアルゴリズムにより、これを行なうことができる。好ましくは、表示される情報に含まれている情報は、ユーザプリファランスに従って、氏名および電話番号より多くの情報を含んでもよい。
【００５６】
図１２では、一般的なミーリーグラフ２００ユーザ機器（ＵＥ）アクセス方法が、グラフ図で図示されている。ミーリーグラフ２００は、携帯型デバイス通信業界で公知の７つの状態を含む。すなわち、ＭＳ−ＯＦＦ（１）、Ｗａｉｔ（２）、Ｅｎｔｅｒ−ｃａｒｄ（３）、Ｅｎｔｅｒ−ＰＩＮ（４）、Ｆａｉｌｕｒｅ−Ｔｒｅａｔｍｅｎｔ（５）、Ｅｎｔｅｒ−ＰＬＭＮ（６）、およびＳｅｒｖ−ＡＶ（７）である。
【００５７】
図１３では、情報アクセスシステム２５の実施形態に従って、図１２のミーリーグラフ２００に加えることができる改訂が、グラフ図により図示されている。ＩＣＥ状態（８）が追加され得る。一連のキーストローク（「＊」を４回等のような）はシステムをｗａｉｔ（２）状態からアンロックし、システムをＩＣＥ（８）状態にする。好ましくは、ＩＣＥ状態（８）から抜け出し、ｗａｉｔ状態（２）に戻るために「終了」キーが使用される。
【００５８】
以下はＵＥアクセス手順の状態の説明である。
１）ＵＥ−ＯＦＦ：ＵＥはオフ状態である。これは、このデバイスはＰＬＭＮ内のＵＥとして作動しないことを意味する。
２）ＷＡＩＴ：ＵＥがローミングしている（例えば、位置の更新）場合の、ＵＥの種類およびＰＬＭＮに関する、ＵＥアクセス状態の完了を待っている。
３）ＥＮＴＥＲ  ＣＡＲＤ：加入者カードの入力を要求する（例えば、内蔵のＳＩＭモジュールが利用可能でない場合）。
４）ＥＮＴＥＲ  ＰＩＮ：正しいＰＩＮの入力を要求する。
５）ＦＡＩＬＵＲＥ  ＴＲＥＡＴＭＥＮＴ：実際の失敗条件の除去を待っている。
６）ＥＮＴＥＲ  ＰＬＭＮ：ＰＬＭＮの選択を要求する。
７）ＳＥＲＶ−ＡＶ：ＵＥは準備完了状態である。ユーザはＰＬＭＮサービスを利用可能である。
８）緊急時（ＩＣＥ）：ＵＥはアンロックされ、ＩＣＥ情報は利用可能である。前の状態でＵＥがロックされている場合、ＩＣＥ情報のみが利用可能である。
【００５９】
以下は、ＵＥアクセス状態間の移行の説明である。
ＯＮ：デバイスはＰＬＭＮ内のＵＥとして作動する。
ＲＥＱ：ユーザアクティビティに対する要求。
ＩＯＣ：ＳＩＭ／ＵＳＩＭモジュールを伴う加入者カードの挿入。
ＣＯＭＰＬＥＴＥ：ＰＩＮは入力されている。
ＥＮＴＥＲＥＤ：ＰＬＭＮ選択が完了している。
ＦＡＩＬＵＲＥ：ＵＥアクセス手順の間の任意の他の状態で、故障状態が発生している。
ＣＯＮＤＩＴＩＯＮＡＬ：ＵＥがＷＡＩＴ状態おいて待機する条件の１つが失われている。ＵＥはＷＡＩＴ状態に戻る。
“ＤＯＮＥ”：ＵＥアクセス故障状態が修正されている。
ＯＫ：ＵＥがＷＡＩＴ状態において待機する全ての条件が達成された。
ＩＣＥ  ｕｎｌｏｃｋ：ＵＥが緊急時の（ＩＣＥ）状態に入る。
“Ｏｆｆ”ｋｅｙ：ＵＥはＷＡＩＴ状態に戻る。
【００６０】
好ましくは、図１２および図１３、ならびに上述の状態および移行の説明は、ＩＣＥアクセス方法と関連したユーザ機器のマンマシンインターフェース（ＭＭＩ）の好ましい標準の要件を定義する。好ましい標準は、任意の人員が（Ｕ）ＳＩＭまたはＵＥ上のＩＣＥ情報にアクセスすることを可能にする。好ましい標準の手順の使用は、他の情報（例えば、電話帳のＩＣＥでない記入アイテム）を可視状態にはしない。好ましい標準の手順は、ＳＩＭ  ＰＩＮがロックされているかどうかに関わらず、かつハンドセットがロックされているかどうかに関わらず、機能する。好ましい標準では、ＩＣＥ情報を格納しているモバイルデバイスのアンロックは、モバイルデバイスがアイドル状態であり、かつ任意の英数字のキーが３回または任意の英数字のキーが２秒以上押されたときに、生じる。
【００６１】
以下の説明は、ＩＣＥ情報をＳＩＭカードへの格納の実施例を記述する。
【００６２】
好ましくは、ＩＣＥ情報はＳＩＭカードに配置される。このことは、ユーザが（オペレータを介して）情報をＳＩＭ（またはＵＳＩＭ）にダウンロードすることを可能にする。このデバイスはＩＣＥ情報のコピーを作ったり、作らなかったりする。好ましくは、このデバイスはＩＣＥ情報のコピーを作り、そのコピーをデバイスの中に保持する。新しいファイルがＳＩＭカードに加えられ得る。例えば、既存の電話のアドレス帳は、限られた数のフィールドしか有さない場合がある。好ましくは、ＩＣＥで使用するために適合された情報とフィールドを有する、ＩＣＥ情報を含んだ１つ以上の新しいファイルが使用される。好ましくは、このＩＣＥファイルは、単独で、緊急時対応要員が利用可能なメカニズムの使用を介してアンロックされ、この別々のファイルの使用は（既存の一般的なアドレス帳内のファイルまたは記録ではない）ＩＣＥアンロックが主アドレス帳をアンロックしたりさもなければ影響を与えたりしないことを確実とする。さらに、この別々のＩＣＥ情報ファイルの使用はＩＣＥファイルの展開を可能にする。さらに、新しいデバイスのために、単一の標準化された手法が使用され得る。
【００６３】
上に暗喩されるように、ＩＣＥ情報は新しいスタイルのアドレス帳ファイルに配置されるが（ＩＣＥ情報またはエントリは他の従来のアドレス帳のエントリと「統合」され、その結果、該デバイスがロックされた状態であるとき、ＩＣＥ情報はロックされた状態でもアンロックされた状態でもアクセスされるが、そのアドレス帳内の他のＩＣＥに関連しない情報はロックされたままとなる）、このような格納は、ＩＣＥ情報がアドレス帳ファイルから分離して維持される標準化された手法の基盤を提供しない。さらに、ＩＣＥ情報をアドレス帳のエントリにおける氏名の前に「ＩＣＥ」によってのみ継続的に識別させることは、別々のＩＣＥファイルの利点が達成されることを妨げる。標準が無い場合では、各々のセル式電話［または携帯型デバイス］製造業者は異なるフォーマットと手法とを使用し得ることにより、ユーザのＩＣＥ情報が１つのハンドセットまたはデバイスから、別のハンドセットまたはデバイスへ容易に移行することを制限したり、または妨げたりする。有利なことに、アドレス帳ファイルから分離しかつ標準化された形式でＩＣＥ情報を維持することは、ユーザのＳＩＭカードを新しいワイヤレスデバイスへ移動することにより、ユーザのＩＣＥ情報の移行を可能にする。好ましくは、ＳＩＭカードのためのＩＣＥ情報のために標準が設定されることによって、ファイルは、例えば、ＤＦＩＣＥのような、新しい専用のファイル（ＤＦ）に配置される。好ましくは、このＤＦは２つの基本ファイル（ＥＦ）、すなわち、ａ）ＥＦＩＵ（ＩＣＥユーザ）およびｂ）ＥＦＩＣ（ＩＣＥ連絡先）を有する。
【００６４】
このＩＣＥユーザファイルは［セル式電話］ユーザ情報を提供する。すなわち、
氏名
住所
国名
時間帯
（１つまたは複数の）言語  緊急人員のために
電話番号  番号の間を分ける（空白を入れる）ことにより、国番号が明確に識別される
モバイル電話番号  番号の間を分ける（空白を入れる）ことにより、国番号が明確に識別される
旅行者グループ  ユーザがグループで旅行していることを識別する
情報  旅行の開始日と終了日を提供し、これによって緊急人員は現在旅行期間内であるかどうかを知ることができる。
血液型
備考  緊急人員のための医療状態またはその他の指示に関する情報の追加を、ユーザは希望し得る。ユーザはまた空白のままにし得る。
旅行しているユーザは、ＩＣＥ情報に関して追加の問題を提示する。ユーザが訪れる場所では、異なる言語を有し得るか、または異なる言語と異なるアルファベット（例えば、西洋のアルファベットに対して、日本語、中国語、またはその他の文字）の両方を有し得る。この問題はいくつかのステップにより対処され得る。
【００６５】
西洋のアルファベットを使用する国の範囲内の旅行では、フィールドの見出しは複数の言語で提供される場合がある。すなわち、ユーザの言語および英語またはユーザの言語、英語、および頻繁に訪れる国の言語である。見出しに複数の言語を使用することにより、緊急時対応要員は、どの電話番号が勤務先（ビジネス）、自宅、および携帯であるか判断することができる。見出しに複数の言語を使用することは、緊急時対応要員に対して、ＩＣＥ連絡先との関係、すなわち、配偶者、兄弟、友人、医師、旅行案内者といった関係をもまた示す。この見出しは、緊急時対応要員が自分たちにとってどちらの言語が最も有用であるか選択する可能性を伴うように、好ましくは、少なくともユーザの言語および英語で前もってプログラムされていた方がよい。この例では、ユーザのＩＣＥ情報および連絡先のＩＣＥ情報は、ユーザの母国語で入力される。フィールドの見出しおよび電話番号が緊急時対応要員によって利用可能かつ理解されることによって、ほとんどまたは全てのＩＣＥ情報の目標は達成される。
【００６６】
西洋言語を使用するユーザが、異なるアルファベットまたは文字を用いる国を旅行する場合、より困難な状況が発生する。英語（およびより低い割合になると思われる他の西洋語）は、緊急時対応要員が、少なくともフィールドの見出し（その西洋語に精通している人員が利用可能な場合）と電話番号にアクセスできるようにする可能性がある。非西洋語を使用する国に長い期間滞在する（西洋語を使用する）ユーザのためには、フィールドの見出しとフィールド内の情報との両方がその国の言語に翻訳されていて、緊急時対応要員が通訳の必要無しに全ての情報にアクセスできることが好ましい。同様に、西洋語を使用する国に滞在する（非西洋語を使用する）ユーザは、フィールドの見出しとそれらのフィールド内の情報の両方が英語または適切な西洋語に翻訳されていることが必要であろう。
【００６７】
好ましくは、ＩＣＥ情報が最初に入力されている場合、かつユーザの旅行日程が追加の言語を呼び出す場合に、（西洋語および非西洋語を使用した）いくつかの言語によるフィールドの見出しの準備が、ユーザに利用可能である。これは、ユーザの氏名および詳細ならびにユーザのＩＣＥ連絡先を知ること無く、達成される可能性がある。利用可能な言語は、好ましくは表示され、これにより緊急時対応要員は最も有用な言語を選択することができる。氏名およびその他の詳細が西洋語と非西洋語との間で翻訳しなければならない場合については、個別に取り扱うことができる。
【００６８】
ユーザは全ての情報を提供しないこと、例えば、住所から番地および市町村を除くことを選択し得る。好ましくは、旅行者のグループの情報の日付には、誤解を防ぐために月にアルファベットの省略形を使用する。旅行者のグループの情報の日付を過ぎたとき、ユーザは警告を受け、旅行または小旅行が完了したか延長したか尋ねられる、すなわち（ａ）この旅行の旅行者のグループの情報を削除しかつ連絡先のエントリのこの旅行に関連するものを削除するか（また、この連絡先を削除するかどうか）、または（ｂ）旅行者のグループの情報内のこの旅行または小旅行の日付を延長する。
【００６９】
ＩＣＥ連絡先ファイルは、緊急時対応要員が連絡を取ることを望む人々またはグループの情報を提供するであろう。
氏名
関係  ユーザとの関係。母、配偶者、兄弟、友人、医師、旅行グループのメンバ、旅行案内者、・・・住所  （任意）
時間帯  ユーザと異なる場合
国名
（１つまたは複数の）言語  緊急人員のために
電話番号−自宅  番号の間を分ける（空白を入れる）ことにより、国番号が明確に識別される
−勤務先  番号の間を分ける（空白を入れる）ことにより、国番号が明確に識別される
モバイル電話番号  番号の間を分ける（空白を入れる）ことにより、国番号が明確に識別される
備考：  ＩＭまたはその他のコメントのために使用できる。
【００７０】
追加のフィールドが付け加えられたことを表示するためにも使用できる。
ユーザと共に旅行しているか否か。  この連絡先がユーザと共に旅行していることを示す。
見出し（表示される場合）は好ましくはユーザの言語および英語または他の第２の言語の可能性がある。ユーザは全ての情報を提供しないことを選択し得る。好ましくは、ＭｅｄｉｃＡｌｅｒｔ等のような組織を連絡先に入れ得る。好ましくは、ユーザは連絡先の優先順位をつけ得る。
【００７１】
ワイヤレス機器において、情報を容易に使用、挿入、および更新できるように、以下の入力手法が使用され得る。
Ａ．ユーザがオンラインでオペレータウェブページに情報を入力する。このシナリオにおいて、オペレータはデータベースを維持し、かつ情報をＯＴＡ（無線）でＳＩＭに転送する。
Ｂ．任意で、ユーザは情報をパーソナルコンピュータ（ＰＣ）−ＵＥ接続およびケーブル経由で入力し得る。
Ｃ．ユーザは、情報をＢｌｕｅｔｏｏｔｈまたはその他のワイヤレス接続を使用してＰＣ−ＵＥ経由で入力する。
Ｄ．ユーザは情報をキーボード（ＴＡＰ）経由で入力する。
【００７２】
ロックされた電話等のような、ロックされたデバイス上のＩＣＥ情報を表示するために、ユーザの自宅情報、連絡先、旅行者の情報、および関連した情報等のような、ＩＣＥ関連の情報を、通常のアドレス帳のエントリから分離して格納するために、ＳＩＭの別々のＤＦおよびＥＦが使用される。特定のＩＣＥを目的としたファイル内の、このＩＣＥ情報の分離は、通常のアドレス帳の記入内容およびその他のデータはロックされ、かつアクセスできない状態のまま、ＩＣＥ情報をアンロックすることを可能にする。
【００７３】
各ＳＩＭアドレス帳のエントリを限られたスペースで取り扱うため、「ＩＣＥ」情報はＳＩＭ／ＵＳＩＭからモバイル機器（ＭＥ）に移行される。
【００７４】
情報の更新のため、このＭＥは情報へのアクセスを管理する。
【００７５】
ユーザが新しいセル式電話を入手した場合、登録または有効化プロセスはユーザにＩＣＥ情報を入力すべきことを警告する。ユーザはすでに登録されたＳＩＭをワイヤレスデバイスに設置し、好ましくは、ユーザは、そのＩＣＥ情報（すでにＳＩＭにある）が正確かつ最新のものであるかどうか尋ねられる。
【００７６】
ユーザが他のＳＩＭを入手した場合、ハンドセットとＳＩＭは同期化される。ＳＩＭはＤＦおよびＥＦ「ＩＣＥ」ファイルを有し得ず、またはＳＩＭはその中にいずれの情報も伴わないＤＦおよびＥＦ「ＩＣＥ」ファイルを有し得る。さらに、他のＳＩＭはそのユーザにとって（少なくともしばらくの間）永久ＳＩＭであってもよく、このＳＩＭは（短い可能性がある）ある期間ある仲間またはユーザの企業から一時的に貸し出されていてもよい。このＳＩＭがその中に全くＩＣＥ情報も有さない場合、このハンドセットからの情報は恐らく使用されている可能性があり、よって「このハンドセットからの＜ＩＣＥ情報からのユーザの氏名＞上の「ＩＣＥ」情報を保持し、ＳＩＭに書き込むか？」という質問がユーザに対して指示される可能性がある。ユーザが「いいえ」を選択した場合、ユーザは、ＳＩＭファイル内に配置され、ハンドセットにそれ以前の情報に上書きしてコピーされるであろう「ＩＣＥ」情報を入力するように指示される可能性がある。
【００７７】
図１４では、情報アクセスシステム２５の実施形態に従って、ハンドセットおよび交換のＳＩＭ（２００）を同期させる方法の実施例がフローチャートにより示されている。交換のＳＩＭがＤＦおよびＥＦのＩＣＥファイルを有さない場合（２０２）、またはＳＩＭのＤＦおよびＥＦのＩＣＥファイルがその中にいずれの情報も有さない場合（２０２）、ユーザがその交換ＳＩＭをハンドセットのＩＣＥ情報を反映するように更新を望む場合、ユーザに選択するよう指示するメッセージが表示される（２０４）。望む場合（２０４）、ＳＩＭはその情報により更新される（２０６）。望まない場合（２０４）、ユーザにＳＩＭに格納するＩＣＥ情報を入力するよう指示するメッセージが表示される（２０８）。
【００７８】
特定のインディシアを有さない従来からのワイヤレスデバイスを、他のキーストロークを経由してこの情報にアクセスするためにプログラムすることもできる。例えば、「ＩＣＥ」情報を表示するためのアンロックコードとして、ＩＣＥすなわち４２３と打ち込む、または「＊」キーを繰り返して（例えば、３回または４回）使用する、もしくは十分長い時間押し続ける。この「＊」インディシアは上述の図案化されたインディシアによって代替されてもよく、またはされなくてもよい。
【００７９】
新しいデバイスおよび新しいＳＩＭ類、ＵＳＩＭ類、ＩＳＩＭ類、ＲＵＩＭ類はＩＣＥ能力を内蔵して生産することができる。
【００８０】
従来のＳＩＭがＩＣＥ利用可能でない場合、その従来のＳＩＭは、オペレータからＯＴＡ（ワイヤレスの）コマンドを経由して加えられたＤＦおよびＥＦ類を有してもよい。多くの最近の従来のデバイスはゲームおよびその他のアプリケーションをハンドセット（デバイス）にロードすることが可能である。多くのハンドセットは、ワイヤレス用バイナリランタイム環境（ＢＲＥＷ）、またはこのようなアプリケーション用のプログラム言語としてＪａｖａ（登録商標）（もしくはその他の「標準化」された言語）を使用して生産されている。したがって、オペレータおよび製造業者は、そのデバイスにＩＣＥ（本明細書で上述の）の使用が可能なＢＲＥＷまたはＪａｖａ（登録商標）アプリケーションを生産できる可能性がある。ＢＲＥＷの標準、および多くのハンドセット用のＪａｖａ（登録商標）の標準化に向けた業界の作業により、例えばＪａｖａ（登録商標）ＩＣＥのような単一のアプリケーションが多くの異なる種類のハンドセットにインストール可能であってもよいことは、さらに考慮すべきである。デバイスは、一旦ＢＲＥＷまたはＪａｖａ（登録商標）ＩＣＥアプリケーションがインストールされると、ＩＣＥ能力を完全にインストールされて製造されたハンドセットと同じ能力で操作されるであろう。
【００８１】
インフラストラクチャに情報が格納されるモードを有する、従って新しいデバイスにダウンロードされた情報と共に新しいワイヤレスデバイスに（以前のデバイスから）変えることが可能である、ＲＩＭ  ＢｌａｃｋＢｅｒｒｙ（ＴＭ）等のようなデバイスは、ＯＴＡバックアップを経由してＩＣＥ情報を格納してもよい。これは、ＳＩＭカードが使用されていない場合でも、新しいワイヤレスデバイスへ変えることを可能にする。
【００８２】
本開示に従うシステムおよび方法は、上述の機能を有する、いかなるハードウエア、ソフトウエア、またはハードウエアおよびソフトウエアの組み合わせにより実装されてもよい。ソフトウエアコード、およびその全体またはその部分のいずれもコンピュータ読み取り可能メモリに格納されてもよい。さらに、搬送波に組み込まれていてもよいソフトウエアコードを示すコンピュータデータ信号は通信ネットワークを経由して伝達されてもよい。このようなコンピュータ読み取り可能メモリおよびコンピュータデータ信号、加えてハードウエア、ソフトウエア、およびその組み合わせは、本開示の範囲内である。
【００８３】
この特許情報開示の特定の実施形態が示され、かつ記述されているが、この特許情報開示の真の範囲を逸脱することなく、これらの実施形態に対し変更および改造が行なわれてもよい。
【図面の簡単な説明】
【００８４】
【図１】図１は、一般的な携帯型電子デバイスの実施例を図示する。
【図２】図２は、本特許開示の実施形態に従って、情報を格納および提供するための情報アクセスシステムの実施例をブロック図で図示する。
【図３】図３は、本情報アクセスシステムの実施形態に従って、ＩＣＥ情報をロードする実施例を情報フロー図で図示する。
【図４ａ】図４ａおよび図４ｂは、本情報アクセスシステムの実施形態に従って、種々のディスプレイ画面を図示する。
【図４ｂ】図４ａおよび図４ｂは、本情報アクセスシステムの実施形態に従って、種々のディスプレイ画面を図示する。
【図５】図５は、本情報アクセスシステムの実施形態に従って、種々の携帯型デバイスのＩＣＥデータ格納チャートを図示する。
【図６】図６は、本情報アクセスシステムの実施形態に従って、例示的なワイヤレスデバイスを操作することができるワイヤレスネットワーク環境をネットワーク図で図示する。
【図７】図７は、本情報アクセスシステムの実施形態に従って、ＩＣＥ情報を提供するためのモバイル通信デバイスの実施例を図示する。
【図８】図８は、本情報アクセスシステムの実施形態に従って、ＩＣＥ情報を提供するためのモバイル通信デバイスの別の実施例を図示する。
【図９】図９は、本情報アクセスシステムの実施形態に従って、ＩＣＥを提供するためのモバイル通信デバイスのさらに詳細な実施例を図示する。
【図１０】図１０は、本情報アクセスシステムの実施形態に従って、ロックされたモバイル通信デバイスから情報を得る実施例をフローチャートにより図示する。
【図１１】図１１は、本情報アクセスシステムの実施形態に従って、ＩＣＥ情報を提供するためのワイヤレスデバイスをアンロックする方法の実施例をフローチャートにより図示する。
【図１２】図１２は、ユーザ機器アクセス手順の一般的なミーリーグラフ２００を、グラフ図で図示する。
【図１３】図１３は、本情報アクセスシステムの実施形態に従って、図１２のミーリーグラフに加えられ得る改訂を、グラフ図により図示する。
【図１４】図１４は、本情報アクセスシステムの実施形態に従って、ハンドセットとＳＩＭとを同期させる方法の実施例をフローチャートにより図示する。
【図１】
2009533775.tif 000003
【図２】
2009533775.tif 000004
【図３】
2009533775.tif 000005
【図４ａ】
2009533775.tif 000006
【図４ｂ】
2009533775.tif 000007
【図５】
2009533775.tif 000008
【図６】
2009533775.tif 000009
【図７】
2009533775.tif 000010
【図８】
2009533775.tif 000011
【図９】
2009533775.tif 000012
【図１０】
2009533775.tif 000013
【図１１】
2009533775.tif 000014
【図１２】
2009533775.tif 000015
【図１３】
2009533775.tif 000016
【図１４】
2009533775.tif 000017
【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
情報を格納することが可能であり、ロックされた条件に配置され得る携帯型デバイスであって、該携帯型デバイスは、
マンマシンインターフェースと、
少なくとも１つの緊急情報を格納するための情報リポジトリと、
該携帯型デバイスが該ロックされた条件にある場合でさえ、該マンマシンインターフェース上での所定の動作に応答して、該情報リポジトリ内の該緊急情報のみへのアクセスをユーザに提供するためのアクセスモジュールと
を備えている、携帯型デバイス。
【請求項２】
前記情報リポジトリは、前記携帯型デバイス上に格納されたコンピュータ読み取り可能メモリ内に実装される、請求項１に記載の携帯型デバイス。
【請求項３】
前記コンピュータ読み取り可能メモリは、加入者情報モジュールである、請求項２に記載の携帯型デバイス。
【請求項４】
前記情報リポジトリは、ワイヤレスデバイスによってアクセス可能なワイヤレスネットワークに結合されたコンピュータ読み取り可能メモリである、請求項１に記載の携帯型デバイス。
【請求項５】
前記緊急情報は、緊急時の「ＩＣＥ」情報である、請求項１〜請求項４のうちの任意の１項に記載の携帯型デバイス。
【請求項６】
前記所定の動作は、所定のキーのストロークである、請求項１〜請求項５のうちの任意の１項に記載の携帯型デバイス。
【請求項７】
前記ストロークは、
前記所定のキーの連続的な保持；または
該所定のキーを繰り返し押すこと
のうちの任意の１つである、請求項６に記載の携帯型デバイス。
【請求項８】
前記所定のキーのストロークは、３回押されるスターまたはアスタリスクキーである、請求項６に記載の携帯型デバイス。
【請求項９】
前記アクセスモジュールは、前記マンマシンインターフェースおよび／または前記情報リポジトリに格納された情報に関連付けられたロック条件を、バイパスまたは無効化することによって、該情報リポジトリ内の緊急情報へのアクセスを提供するように配置されている、請求項１〜請求項８のうちの任意の１項に記載の携帯型デバイス。
【請求項１０】
ディスプレイと、
該ディスプレイおよび該マンマシンインターフェースに結合され、前記アクセスモジュールを備えているプロセッサと
を備えている、請求項１〜請求項９のうちの任意の１項に記載の携帯型デバイス。
【請求項１１】
前記マンマシンインターフェースは所定のインディシアを担持するキーを有するキーボードを備えている、請求項１〜請求項１０のうちの任意の１項に記載の携帯型デバイス。
【請求項１２】
前記所定のインディシアは、スターまたはアスタリスクを含む、請求項１１に記載の携帯型デバイス。
【請求項１３】
前記所定の動作は、前記スターまたはアスタリスクを担時する前記キーを押すことを含む、請求項１２に記載の携帯型デバイス。
【請求項１４】
前記情報リポジトリは、加入者情報モジュール「ＳＩＭ」内に実装される、請求項１〜請求項１３のうちの任意の１項に記載の携帯型デバイス。
【請求項１５】
前記アクセスモジュールは、ＳＩＭ個人識別番号「ＰＩＮ」がロックされているか否か、または前記携帯型デバイスがロックされているか否かにかかわらず、前記緊急情報へのアクセスをユーザに提供するように配置される、請求項１〜請求項１４のうちの任意の１項に記載の携帯型デバイス。
【請求項１６】
ＩＣＥ情報が専用のファイルに格納される、請求項１４に記載の携帯型デバイス。
【請求項１７】
前記専用のファイルは、ＩＣＥユーザ基本ファイルおよびＩＣＥ連絡先基本ファイルを備えている、請求項１６に記載の携帯型デバイス。
【請求項１８】
前記緊急情報は、氏名、住所、国名、時間帯、（１つまたは複数の）言語、電話番号、携帯電話番号、旅行者団体の情報、血液型、および備考のうちの１つ以上を含むユーザ情報を含む、請求項１〜請求項１７のうちの任意の１項に記載の携帯型デバイス。
【請求項１９】
前記緊急情報は、氏名、関係、住所、時間帯、国名、（１つまたは複数の）言語、自宅電話番号、勤務先電話番号、携帯電話番号、備考、および「ユーザと共に旅行しているか否か」のうちの１つ以上を含むユーザ連絡先情報を含む、請求項１〜請求項１７のうちの任意の１項に記載の携帯型デバイス。
【請求項２０】
前記携帯型デバイスは、セル式電話、ワイヤレスデバイス、パーソナルインフォメーションアシスタント、ＭＰ３プレイヤ、および多機能携帯電子デバイスのうちの１つである、請求項１〜請求項１９のうちの任意の１項に記載の携帯型デバイス。
【請求項２１】
前記携帯型デバイスは、該携帯型デバイスのアクセス手順内にＩＣＥ状態を含む、請求項１〜請求項２０のうちの任意の１項に記載の携帯型デバイス。
【請求項２２】
前記ＩＣＥ状態は、ＩＣＥ情報が前記所定の動作に応答して利用可能になる状態である、請求項２１に記載の携帯型デバイス。
【請求項２３】
前記ＩＣＥ状態の間に、前記携帯型デバイスが前の状態でロックされている場合には、該ＩＣＥ情報のみが利用可能である、請求項２２に記載の携帯型デバイス。
【請求項２４】
ＩＣＥアンロック機能は、前記携帯型デバイスに、前の状態からの前記ＩＣＥ状態を入力させる、請求項２１に記載の携帯型デバイス。
【請求項２５】
終了キー機能は、前記携帯型デバイスに、前記ＩＣＥ状態からのＷＡＩＴ状態を入力させる、請求項２１に記載の携帯型デバイス。
【請求項２６】
マンマシンインターフェースを有する携帯型デバイス内の緊急情報へのアクセスを提供する方法であって、該携帯型デバイスは、情報を格納することが可能であり、ロックされた条件に配置され得、該方法は、
少なくとも１つの緊急情報を情報リポジトリに格納することと、
該携帯型デバイスがロックされた条件にある場合でさえ、該マンマシンインターフェース上での所定の動作に応答して、該情報リポジトリ内の該緊急情報のみへのアクセスをユーザに提供することと
を包含する、方法。
【請求項２７】
携帯型デバイス上の緊急時の「ＩＣＥ」情報を提供するためのコンピュータプログラム製品であって、該コンピュータプログラム製品は、請求項２６に記載の方法を該形態方デバイス上で実装するためのコンピュータ読み取り可能媒体具現化プログラムコード手段を備えている、コンピュータプログラム製品。
【手続補正２】
【補正対象書類名】明細書
【補正対象項目名】全文
【補正方法】変更
【補正の内容】
【発明の詳細な説明】
【技術分野】
【０００１】
本特許は、概して、携帯型デバイスに関し、より具体的には、情報アクセスをそのようなデバイスに提供するシステムと方法に関する。
【背景技術】
【０００２】
世界は、その人間居住者に対して多くの危険な状況を与える。その一部には、例えば、津波、ハリケーン、竜巻、洪水、地滑り等のような自然災害が挙げられる。その他には、例えば、交通事故、戦争行為、およびテロ行為等のような人為的なものが挙げられる。これら全ての事象について１つの共通するものは、そのような状況のもとで、できるだけ短時間にできるだけ効果的な方法で被害者を助ける必要である。非個人的な事象が起こり、人間が負傷したときに、その事象は個人の医療情報へのアクセスに関してごく個人的なものとなり、かつ緊急連絡先は決定的に重要なものとなる。緊急時の（Ｉｎ  Ｃａｓｅ  ｏｆ  Ｅｍｅｒｇｅｎｃｙ；ＩＣＥ）情報は、災害や事故の被害者の処置のために重要である。災害がまた、通信システム等のような局所的なインフラストラクチャの損害の原因にもなっている場合、この情報を入手することは特に困難である。皮肉なことに、広範囲にわたる災害の間に最も必要とされるシステムは、その同じ災害によって危機にさらされ得る。
【０００３】
従って、通信インフラストラクチュアへのリアルタイムのアクセスに依存せずに、個人のＩＣＥ情報を提供する必要がある。
【０００４】
この必要性を満足するために種々の提案がなされてきた。例えば、特許文献１は、近親者、血液型、アレルギーの詳細等の個人情報を格納したセル式電話に組み込まれたＳＯＳのお守り（ｔａｌｉｓｍａｎ）を開示している。この情報は、この電話に関連したＩＤを使用して取りだされ得るか、または第２の電話に伝送され得る。同様の提案は特許文献２に記述されている。特許文献３は、患者となり得る者が、緊急人員が緊急の事象において個人情報にアクセスするために使用され得るモバイル機器用の別個のＳＩＭカードを携行すべきであることを提案している。
【０００５】
たとえそのデバイスに格納されたその他の情報へのアクセスを制限するために、そのデバイスがロックされている場合であっても、緊急サービスに対して容易にアクセス可能である方法で、ＩＣＥ情報をモバイルデバイスへ格納可能であることが望ましい。
【特許文献１】英国特許出願公開第２４０１２８５号明細書
【特許文献２】特開第２００４−１２０４６７号公報
【特許文献３】国際公開第２００４／１０４８９８号パンフレット
【発明の開示】
【課題を解決するための手段】
【０００６】
（概要）
本発明の好適な実施形態は情報アクセスシステムを提供し、該システムは、情報を格納するための情報リポジトリと、この情報へのアクセスを提供し、かつマンマシンインターフェースに関連付けられたロック条件および／またはこの情報へのアクセスを制限するために情報リポジトリに格納された情報を有するアクセスモジュールとを備え、このアクセスモジュールは、このロック条件をバイパスまたは無効化することによって、このマンマシンインターフェースで所定の操作に対応するこの情報のサブセットにのみアクセスを提供するように配置されている。
【０００７】
この情報のサブセットは、ＩＣＥ情報であり得る。
【０００８】
別の態様では、本発明は、マンマシンインターフェースに関連付けられたロック条件および／または情報へのアクセスを制限するためのメモリに格納された情報を有する情報システム内の情報へのアクセスを提供する方法を提供し、該方法は、この情報をメモリに格納するステップと、このロック条件をバイパスまたは無効にすることによって、少なくとも１つの所定の操作に依存して、このメモリ内のこの情報のサブセットにのみアクセスを提供するステップとを含む。
本発明は、さらに以下の項目を提供する。
（項目１）
情報アクセスシステム（２５）であって、該システムは、
情報を格納するための情報リポジトリ（２６）と、該情報へのアクセスを提供し、かつマンマシンインターフェース（２２）に関連付けられたロック条件および／または該情報へのアクセスを制限するために該情報リポジトリ（２６）に格納された情報を有するアクセスモジュール（２８）とを備え、
該アクセスモジュール（２８）は、該ロック条件をバイパスまたは無効化することによって、該マンマシンインターフェース（２２）上の所定の操作に応答して該情報のサブセットにのみアクセスを提供するように配置されている、情報アクセスシステム（２５）。
（項目２）
上記リポジトリは、携帯型デバイス（２２）に格納されたコンピュータ読み取り可能メモリ（１８）である、項目１に記載のシステム。
（項目３）
上記コンピュータ読み取り可能メモリ（１８）は、ワイヤレスデバイスの加入者情報モジュールである、項目２に記載のシステム。
（項目４）
上記リポジトリ（２６）は、ワイヤレスデバイスでアクセス可能なワイヤレスネットワークに連結されたコンピュータ読み取り可能メモリである、項目１に記載のシステム。
（項目５）
上記情報のサブセットは、緊急時の情報である、項目１〜４のいずれか一項に記載のシステム。
（項目６）
上記所定の操作は、所定のキーのストロークである、項目１〜５のいずれか一項に記載のシステム。
（項目７）
上記ストロークは、
上記所定のキーを継続的に押したままにすること、または
該所定のキーを繰り返し押すこと、のいずれか１つである、項目６に記載のシステム。
（項目８）
上記所定のキーストロークは、所定の配列のキーを押すことである、項目６に記載のシステム。
（項目９）
項目１〜８のいずれか一項に記載の情報アクセスシステムを備える携帯型デバイスであって、
情報を表示するディスプレイ（１２）と、
該情報の要求を受けるマンマシンインターフェース（２２）と、
該ディスプレイおよび該マンマシンインターフェース（２２）に連結され、かつ上記アクセスモジュール（２８）を備えるプロセッサ（１６）と、
該情報を備えるメモリ（１８）と
を備える、携帯型デバイス。
（項目１０）
上記マンマシンインターフェースは、所定のインディシアを担持するキーを有するキーボード（１３０）を備える、項目９に記載の携帯型デバイス。
（項目１１）
上記所定のインディシアは、緊急医療記号を含む、項目１に記載の携帯型デバイス。
（項目１２）
上記所定の配列のキーは、「Ｉ」、「Ｃ」、「Ｅ」である、項目９〜１２のいずれか一項に記載の携帯型デバイス。
（項目１３）
上記メモリは、加入者情報モジュールである、項目９〜１３のいずれか一項に記載の携帯型デバイス。
（項目１４）
緊急時の情報が専用のファイルに格納される、項目１３に記載の携帯型デバイス。
（項目１５）
上記専用のファイルは、緊急時のユーザ基本ファイルおよび緊急時の連絡先基本ファイルを備える、項目１４に記載の携帯型デバイス。
（項目１６）
上記緊急時のユーザ基本ファイルは、氏名、住所、国名、時間帯、（１つまたは複数の）言語、電話番号、携帯電話番号、旅行者団体の情報、血液型、および備考のうちの１つ以上を含む複数個のフィールドを備える、項目１５に記載の携帯型デバイス。
（項目１７）
上記緊急時のユーザ連絡先ファイルは、氏名、関係、住所、時間帯、国名、（１つまたは複数の）言語、自宅電話番号、勤務先電話番号、携帯電話番号、備考、および「ユーザと共に旅行しているか否か」のうちの１つ以上を含む複数個のフィールドを備える、項目１５に記載の携帯型デバイス。
（項目１８）
上記ディスプレイ（１２）は、テキストおよびグラフィックのうちの少なくとも１つを表示可能である、項目９〜１７のいずれか一項に記載の携帯型デバイス。
（項目１９）
上記テキストは、「ＩＣＥ」を含む、項目１８に記載の携帯型デバイス。
（項目２０）
上記グラフィックは、緊急時の記号を含む、項目１８に記載の携帯型デバイス。
（項目２１）
複数個の緊急時のエントリが表示される、項目１８に記載の携帯型デバイス。
（項目２２）
上記テキスト「ＩＣＥ」および緊急時の記号が表示される、項目１８に記載の携帯型デバイス。
（項目２３）
上記テキスト「ＩＣＥ」および緊急時の記号は、緊急情報が存在することを示すために太字で表示される、項目２２に記載の携帯型デバイス。
（項目２４）
上記テキスト「ＩＣＥ」および緊急時の記号は、緊急時の情報が存在しないことを示すために、
グレー表示されるか、
文字を構成するために破線の部分を使用して表示されるか、または
消されて表示されるか、
のいずれか１つで表示される、項目２２に記載の携帯型デバイス。
（項目２５）
上記携帯型デバイスが、セル式電話、ワイヤレスデバイス、パーソナルインフォメーションアシスタント、ＭＰ３プレイヤ、および多機能携帯電子デバイスの１つである、項目９〜２４のいずれか一項に記載の携帯型デバイス。
（項目２６）
上記携帯型デバイスは、該携帯型デバイスのアクセス手順内に緊急時の状態を含む、項目９〜２５のいずれか一項に記載の携帯型デバイス。
（項目２７）
上記緊急時の状態は、上記携帯型デバイスがアンロックされている場合に利用可能な緊急時の情報により定義される、項目２６に記載の携帯型デバイス。
（項目２８）
上記携帯型デバイスが前の状態ではロックされていた場合、緊急時の情報のみが利用可能となる、項目２７に記載の携帯型デバイス。
（項目２９）
緊急時のアンロック機能は、上記携帯型デバイスを、前のアクセス手順の状態から該緊急時の状態に移行させる、項目２６、２７、または２８に記載の携帯型デバイス。
（項目３０）
オフキーが、上記携帯型デバイスを、上記緊急時の状態から待機状態に移行させる、項目２６〜２９のいずれかに記載の携帯型デバイス。
（項目３１）
マンマシンインターフェース（２２）に関連付けられたロック条件を有する情報システムにある情報および／または該情報へのアクセスを制限するためのメモリ（１８）に格納された情報へのアクセスを提供する方法であって、該方法は、
該情報を該メモリに格納するステップと、少なくとも１つの所定の操作に従って該ロック条件をバイパスまたは無効化することによって、該メモリ内の該情報のサブセットにのみアクセスを提供するステップとを含む、方法。
（項目３２）
上記情報を格納するステップは、
データをウェブベースのユーザインターフェースを経由して入力するステップ、
データをパーソナルコンピュータのユーザインターフェースを経由して入力するステップ、または
データを携帯型デバイスのキーボードを経由して入力するステップ
のいずれか１つまたは組み合わせを含む、項目３１に記載の方法。
（項目３３）
上記情報のサブセットは、携帯型デバイスに格納された緊急時の情報である、項目３１または３２に記載の方法。
（項目３４）
上記デバイスが緊急時の情報を全く有していない場合に、緊急時の情報を追加するようにユーザに警告するステップをさらに含む、項目３３に記載の方法。
（項目３５）
上記デバイスのＳＩＭが緊急時の情報を全く有していない場合に、緊急時の情報を追加するようにユーザに警告するステップをさらに含む、項目３３に記載の方法。
（項目３６）
緊急時の情報を有するＳＩＭが緊急時の情報を有するデバイスに挿入されるとき、上記ユーザに警告するステップをさらに含み、該ステップによって、該ユーザは、どちらが保持すべき適切な一組の情報であるかを示し得、かつ該ユーザがその緊急時の情報を編集および構成可能である、項目３４に記載の方法。
（項目３７）
緊急時の情報をサーバに格納することにより、該緊急時の情報を、
新しいデバイスまたは交換デバイスのいずれか１つに移すことができるステップをさらに含む、項目３３〜３６のいずれか一項に記載の方法。
（項目３８）
モバイル機器の加入者情報モジュールカードを交換するときに、該モバイル機器の緊急時の情報を格納するステップをさらに含む、項目３３〜３７のいずれか一項に記載の方法。
（項目３９）
ユーザに上記緊急時の情報を更新するように促すステップをさらに含む、項目３８に記載の方法。
（項目４０）
ユーザに前の緊急時の情報を上記交換加入者情報モジュールカードにコピーするように促すステップをさらに含む、項目３８に記載の方法。
（項目４１）
上記緊急時の情報は、旅行／小旅行の連絡先および情報を含む、項目３３〜４０のいずれか一項に記載の方法。
（項目４２）
旅行／小旅行の終了日に達したとき、ユーザに警告するステップをさらに含む、項目４１に記載の方法。
（項目４３）
上記緊急時の情報は、ＭｅｄｉｃＡｌｅｒｔ、ＭｙＬｉｆｅＣａｒｄ、およびその他の医療データベースの１つ以上の連絡先を含む、項目３３〜４２のいずれか一項に記載の方法。
（項目４４）
緊急時の情報は、２つ以上の言語で提供される、項目３３〜４３のいずれか一項に記載の方法。
（項目４５）
緊急時対応要員が上記言語を選択可能であるステップをさらに含む、項目４４に記載の方法。
（項目４６）
携帯型デバイスに緊急時の情報を提供するためのコンピュータプログラム製品であって、該コンピュータプログラム製品は、該携帯型デバイスに項目３１〜４５のいずれか一項に記載の方法を実装するためのコンピュータ読み取り可能媒体具現化プログラムコード手段を備える、コンピュータプログラム製品。
【０００９】
本特許開示の実施形態は、ここで以下の図面を参考として、単なる例示として、説明される。
【発明を実施するための最良の形態】
【００１０】
本特許開示は、上述問題点の１つ以上の解決策を記述したものである。したがって、本特許開示は、携帯型デバイスに情報アクセスを提供するシステムおよび方法を教示するものである。
【００１１】
大多数の個人に共通していることの１つは、携帯型電子デバイスを携行していることである。例えば、Ｍｏｔｉｏｎ  Ｐｉｃｔｕｒｅ  Ｅｘｐｅｒｔｓ  Ｇｒｏｕｐ，Ａｕｄｉｏ  Ｌａｙｅｒ３（ＭＰ３）プレイヤ等の個人用音楽再生デバイス、パーソナルデータアシスタント（ＰＤＡ）、ならびにセル式電話および電子メールデバイス等のような種々のワイヤレスデバイスが挙げられる。ある所与の日に、ある個人がこれらのデバイスをいくつか携行している可能性がある。
【００１２】
携帯型電子デバイスの製造業者はますます、いくつかの異なるデバイスの機能を１つのデバイスに組み合わせつつある。その最近の例は、デジタルカメラまたはＭＰ３プレイヤの機能を含んだセル式電話である。この傾向は、各々の新しい世代のデバイスに伴う更なる統合化の予想により、続くものと期待される。この傾向は、個人がそのような機器を携行する見込みを高める。現在の世代のデバイスは多数の共通な構成要素を有するので、この機能の統合化は可能である。このような共通の構成要素には、ディスプレイ画面、入力／出力ポート、中央処理装置（ＣＰＵ）、メモリ、電源モジュール、および触覚性マンマシンインターフェース（ｔａｃｔｉｌｅ  ｍａｎ−ｍａｃｈｉｎｅ  ｉｎｔｅｒｆａｃｅ）を含む。
【００１３】
本特許開示の実施形態に従って、情報を提供するための、情報アクセスシステムが提供される。この情報アクセスシステムは、情報を格納するための情報リポジトリと、この情報へのアクセスを提供するアクセスモジュールとを備える。
【００１４】
本特許開示の実施形態に従って、緊急時の情報を表示するためのディスプレイ、緊急時の情報の要求を受けるためのマンマシンインターフェース、ディスプレイおよびマンマシンインターフェースと結合され、かつ所定の操作に依存して緊急時の情報にアクセスするためのアクセスモジュールを含むプロセッサ、ならびに緊急時の情報を含むメモリを備える、携帯型デバイスが提供される。
【００１５】
本特許開示の別の実施形態に従って、情報をメモリに格納するステップと、少なくとも１つの所定のキーストロークに依存してその情報へのアクセスを提供するステップとを含む、携帯型デバイス上の情報アクセスを提供する方法が提供される。
【００１６】
本特許開示のシステムおよび方法は、実施形態を最良に構成しかつ使用することが可能な方法の種々の実施例を参考として、ここで記述される。簡便のため、明細書全体およびいくつかの図面を通して、同様または対応する部品を示すために同様の参照番号が使用され、種々の構成要素は必ずしも正しい縮尺で図示されない。
【００１７】
図１を参照すると、一般的な携帯型電子デバイス１０の実施例が構成要素図により図示され、この実施例において本特許開示の実施形態が実装され得る。この一般的な携帯型デバイス１０は、ディスプレイ画面１２、入力／出力ポート１４、プロセッサ１６、メモリ１８、電源モジュール２０、および触覚性マンマシンインターフェース２２を含む。これらの構成要素は、個人が日常生活において自らと共に携行する携帯型電子デバイスに共通である。有利なことに、そのようなデバイスのユビキタス特性が、ＩＣＥ情報をそのようなデバイスに格納するために、本システムおよび方法により使用されている。ＩＣＥ情報を格納するのに好適な携帯型デバイスの実施例としては、セル式電話、ワイヤレスデータ／電子メールデバイス、ＰＤＡ、およびＭＰ３プレイヤが挙げられる。
【００１８】
図２を参照すると、本特許開示の実施形態に従って、情報を格納および提供するための情報アクセスシステム２５の実施例が、ブロック図により図示されている。この情報アクセスシステム２５は、情報を格納するための情報リポジトリ２６、およびこの情報へのアクセスを提供するアクセスモジュール２８を備える。その他の構成要素がこの情報アクセスシステム２５に付加され得る。この情報アクセスシステム２５の構成要素は、携帯型デバイス１０の構成要素により実装され得る。デバイスに格納されている情報はロックされ得る。このような情報のロックは、特定の保護された情報へのユーザのアクセスおよび／または全てのユーザに対して保護されたデバイス全体を含み得る。有利なことに、この情報をアンロックするために、所定のキーストロークが使用され得る。すなわち、ロックされたデバイスはこの情報を提供するためにアンロックされ得るか、またはアンロックされたデバイス内で保護されている情報へのアクセスが提供され得る。ロック条件の実施例は、以下にさらに記述される。
【００１９】
好ましくは、緊急時の（ＩＣＥ）情報を格納するためおよび該情報へのアクセスを提供するために、情報アクセスシステム２５が使用される。この開示のこれ以降の部分では、ＩＣＥ情報に関する発明について述べる。しかし、その他の情報がＩＣＥ情報の代わりに使用され得る。
【００２０】
デバイス１０のＩＣＥ情報格納のために、リポジトリ２６がメモリ１８内に実装され得る。種々の携帯型デバイス内のメモリの実施例は、取り外し可能なＳＩＭを伴うワイヤレス端末用の加入者情報モジュール（ＳＩＭ）カード、および取り外し可能なＳＩＭまたはこれと均等のものを持たないワイヤレス端末用のモバイル機器（ＭＥ）を含む。本開示においては、加入者情報モジュールという用語は、ＳＩＭ、ユニバーサルＳＩＭ（ＵＳＩＭ）、インターネットプロトコルマルチメディアサービス識別モジュール（ＩＳＩＭ）、取り外し可能なユーザ識別モジュール（ＲＵＩＭ）、およびその他の取り外し可能な加入者情報モジュールを含む。ＩＣＥ情報はまた、デバイスがＳＩＭカードを使用している場合でさえ、ＭＥに格納され得る。このようなＭＥ内での格納は、ＩＣＥ情報を失うことなしに、かつＳＩＭカードに情報を直ちにダウンロードする必要性なしに、ユーザがＳＩＭを変更することを可能にする（例えば、ローミングの場合）。このようなＭＥ内の格納はまた、オペレータがＩＣＥを実装していない新しいＳＩＭを供給する場合に、ユーザがＩＣＥ情報を利用可能な状態にする。
【００２１】
図３を参照すると、本ＩＣＥシステムの実施形態に従って、ＩＣＥ情報（３０）をロードする実施例が、情報フロー図により図示されている。図３の方法３０では、種々の携帯型デバイスがＩＣＥ情報をロードするために考慮されている。ユーザ３２は、デバイスの種類およびユーザが利用可能なリソースに依存して、数多くの異なる手法のうちの任意の１つを使用し得る。直接的な手法としては、ユーザ３２はデバイスをデバイスの小売店３
４に持って行き、ここでは、任意のデバイス（例えば、データデバイス３６、セル式電話３８、ＰＤＡデバイス４０またはＭＰ３デバイス４２）が、デバイスの小売店３４のコンピュータにケーブル接続、赤外線接続、またはＢｌｕｅｔｏｏｔｈ（ＴＭ）接続によって、ＩＣＥ情報を直接的にロードされ得る。同様に、ユーザ３２は、ユーザの携帯型電子デバイス３６、３８、４０、または４２上のＩＣＥ情報を追加、削除、変更、または更新し得る。
【００２２】
ユーザ３２がパーソナルコンピュータ４４を有する場合、ユーザの携帯型電子デバイス３６、３８、４０、または４２上のＩＣＥ情報のロード、追加、削除、変更、または更新のためにケーブル、赤外線、またはＢｌｕｅｔｏｏｔｈを経由したデバイスへの接続が使用され得る。製造業者から、またはワイヤレスオペレータから、ユーザのパーソナルコンピュータ（ＰＣ）にダウンロードされたプログラムは、ユーザがデータを恐らく全体をそのままＰＣ画面上で入力することおよび見ることを可能にする。そのデータに対する変更がなされ得、次いでそのＩＣＥ情報は、ケーブルまたはＢｌｕｅｔｏｏｔｈを経由してＰＣからデバイスへ直接ダウンロードされ得る。
【００２３】
直接リンクに加えて、ＩＣＥ情報をロード、追加、削除、変更、または更新するため、ならびにこの情報をデータベース５４に集中して格納する、そしてユーザの携帯型電子デバイス３６、３８、４０、または４２に格納するために、デバイスの製造業者のシステム４６、４８、５０、または５２にアクセスするためにコンピュータ４４はウェブブラウザ４５を使用し得る。ＱＷＥＲＴＹキーボードを有したり、有さなかったりする携帯型デバイスのために、オペレータにリンクされるコンピュータ端末または製造業者のコンピュータシステムの使用は、大変ユーザに使いやすい、容易に情報を入力する方法、および必要に応じてＩＣＥ情報の復元のためにデータを格納する方法を提供する。オペレータまたは製造業者は、情報を異なるディスプレイ特性の他のデバイスに適合させる手段、または情報を他のフォーマットに適合させるユーザを補助する手段を提供し得る。
【００２４】
ワイヤレス通信能力を有する携帯型デバイスについては、携帯型電子デバイス３６、３８、または４０のＩＣＥ情報をロード、追加、削除、変更または更新するために、ワイヤレスオペレータコンピュータにアクセスするために、ウェブブラウザ４５を使用することができる。このような変更はデータベース５８に格納し、その後ワイヤレスネットワーク６０を経由して携帯型電子デバイス３６、３８、または４０に移行させることができる。
【００２５】
最後に、キーパッド、キーボード、タッチパッド、およびスタイラスデバイス等のようなユーザ入力インターフェースを有する携帯型デバイス３６、３８、４０、または４２は、ＩＣＥ情報の直接的な入力６２を有し得る。異なる端末キーボード（図１のマンマシンインターフェース２２）エントリの実施例には、セル式電話または同様のキーパッドのＴＡＰまたはｉＴＡＰ法、一部のＢｌａｃｋＢｅｒｒｙ（ＴＭ）モデルのＳｕｒｅＴｙｐｅ（ＴＭ）、およびＱＷＥＲＴＹキーボードのタイピングを含む。
【００２６】
その後、これらをパーソナルコンピュータ、または携帯型デバイスおよびコンピュータ４４に常駐するソフトウエアにローカル通信リンクを提供するＢｌｕｅｔｏｏｔｈ等のようなワイヤレスインターフェースにリンクすることができる入力／出力ポートを使用して、ＩＣＥ情報を集中管理データベースと同期させることができる。代案として、ワイヤレスデバイスについては、同期化はワイヤレスネットワーク６０を経由して完了することができる。
【００２７】
一部の場合では、例えば、子供が使用するデバイスの場合、ＩＣＥ情報のロードの責任者は、実際のユーザ（子供）よりむしろ親または保護者とすることがありうる。これは、例えば、ＭＰ３プレイヤの音楽ダウンロードと共に、クレジットカードの請求情報とリンクさせることができる。
【００２８】
実装の一実施例は、オペレータの、または製造業者のデータベース（５４または５８）へのアクセスと共に、ＩＣＥデータの独立入力のためのローカル接続を有するユーザのＰＣ４４のプログラムである。このデータのアーカイブ化は、交換または追加のデバイスが使用されるまたは望まれるときに、復旧を短時間で行なうことを可能にする。
【００２９】
図４ａおよび図４ｂは、情報アクセスシステム２５の実施形態に従って、種々のディスプレイ画面７０、８０を図示する。図４ａを参照して、種々の携帯型デバイスの種々の形式の待機画面７１、７２、７３、７４、７５および７６が図示されている。好ましくは、ＩＣＥ待機画面は、ディスプレイの大きさおよびデバイスの能力に適合される。小さいディスプレイは、７１に示すようにＩＣＥ情報を見るための指示のみしか表示できない場合がある。わずかに幅広いディスプレイ７２および／またはより大きいディスプレイ７３は、主要ＩＣＥ連絡先を表示できる場合がある。さらに大きいディスプレイ７４または７５は、ＩＣＥ情報を見るための指示と、ＩＣＥ情報を共に表示することができる。画面がより大きくなると、所望に応じて、表示する情報の量を増やせる場合がある。代替案として、デバイスのユーザが好む場合は、ＩＣＥ待機画面は、７１または７６に示すようにＩＣＥ情報にアクセスする方法の指示のみを表示してもよい。待機画面７６では、画面はＩＣＥエントリ１からＩＣＥエントリＮまでを通して繰り返し、ここでＮは１より大きい整数であり、かつＩＣＥエントリは完全な詳細を入力させることができるものである。
【００３０】
緊急医療チームまたは第１の対応要員がさらなるＩＣＥ情報を必要とする場合（ＩＣＥの第１の連絡先がＩＣＥ待機画面に表示されている場合）、彼らは指示に従いそのＩＣＥ情報にアクセスすることが可能である。図４ｂを参照して、種々の携帯型デバイスの種々の形状のＩＣＥディスプレイ画面８１ａおよび８１ｂ、ならびに８２ａおよび８２ｂが図示されている。ディスプレイ画面８１ａおよび８１ｂでは、画面はＩＣＥエントリ１からＩＣＥエントリＮまでを通して繰り返す。８１ａおよび８１ｂのＩＣＥ１画面はその人の代替電話番号を繰り返してもよい。例えば、妻Ａｂｉｇａｉｌのセル式電話番号８１ａ、その後彼女の勤務先電話番号、そしてその後第２のＩＣＥ連絡先８１ｂ、ＩＣＥ２、さらに連絡先の電話番号を通して同様に繰り返す。
【００３１】
より複雑な状況が８２ａおよび８２ｂに図示されている。画面は最初に８２ａに示すようにＩＣＥエントリの選択を一覧にし、それから８２ｂに示すように詳細を伴う１つのＩＣＥエントリを選択させる。例えば、デバイスの所有者がアラスカ旅行に参加しているとする。彼は、好ましくは彼の妻に最初に連絡し、旅行案内者に次に、その旅行に参加している友人に３番目に連絡してもらいたい。デバイスの所有者は、７６のＩＣＥ待機画面を選択していてもよく、または彼は単純に８２ａの画面をＩＣＥ待機画面として選択することもできる。いずれの場合にも、医療または緊急時対応要員が、彼の妻に連絡を試みた後８２ｂに示した画面に到達した場合、彼らは緊急事態の場所（例えば、これがロサンジェルス空港で起きた）によって、彼は旅行を完了したか、旅行を始めていないかどちらかであると結論付けて、ロサンジェルス近辺の追加の連絡先を探すことができる。彼らは彼が彼自身の連絡先をＩＣＥに保存しているかどうか調べ、その情報を次のステップの考慮に入れる。一方、緊急事態がアラスカで起きた場合、彼の妻に連絡が取れない場合には彼らは旅行案内人に連絡を取ることを試みることができる。実施例の手段として提供されたこれらのオプションは全て、情報アクセスシステム２５の有能さを説明するものである。
【００３２】
図５を参照すると、情報アクセスシステム２５の実施形態に従って、種々の携帯型デバイスのＩＣＥデータ格納チャート９０が図示されている。ＩＣＥ情報の格納は携帯型デバイスの種類による。実施例は、ワイヤレスデバイスおよび有線デバイスについて示されている。ＩＣＥデータベースは、１人以上のセル式電話もしくはワイヤレスシステムオペレータ、ＰＤＡもしくはＭＰ３製造業者、ＢｌａｃｋＢｅｒｒｙインフラストラクチャ、および／またはユーザコンピュータの個別ユーザによって操作され得る（バックアップのために）。
【００３３】
緊急時対応要員にとって、ＩＣＥデータの最も重要な情報源はユーザの携帯型電子デバイスである。図５は、ＩＣＥデータはデータベースに、緊急時対応要員のためのバックアップ（例えば、本来のデバイスの故障または紛失の場合のＩＣＥ情報を交換デバイスへの急速ロード）およびデータの代替情報源もまた提供して、容易に利用できるように格納されていてもよいことを示している。キーボードおよび通信能力を有するデバイスは、これらのデータベースにあるＩＣＥデータを更新することもまた可能である。
【００３４】
セル式電話のユーザのためには、ユーザのＩＣＥデータは彼らのセル式の加入と関連する（経由して復旧可能）。好ましくは、加入情報はホーム位置登録（ＨＬＲ）またはモバイル切り替えセンタ（ＭＳＣ）に設置される。Ｗｉ−Ｆｉ（ＴＭ）プロバイダに登録しているＷｉ−Ｆｉ電話のユーザは、同様に彼らのＩＣＥデータをサービスプロバイダにより格納させ、かつその登録を通してアクセス可能とさせ得る。
【００３５】
セル式または同様の加入を有さない、ＰＤＡもしくはＭＰ３プレイヤまたはその他の携帯型デバイス等のような携帯型デバイスは、デバイス製造業者のユーザのレジストリでもよい。したがって、このデバイス製造業者のレジストリは、交換デバイス等の使用のためにセル式電話デバイスについて上述したものと同じバックアップおよびアクセスを可能にする、製造業者のデータベースに同様に格納されるＩＣＥデータを容認できる。
【００３６】
同様の方法により、ＢｌａｃｋＢｅｒｒｙデバイスは個人識別番号（ＰＩＮ）（そしてたいていの場合、さらにＩｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ）またはＥｌｅｃｔｒｏｎｉｃ  Ｓｅｒｉａｌ  Ｎｕｍｂｅｒ（ＥＳＮ））により識別される。ＰＩＮの使用は、ＢｌａｃｋＢｅｒｒｙインフラストラクチャが、ユーザのＢｌａｃｋＢｅｒｒｙのＰＩＮにより、ユーザのＩＣＥデータと関連付けることを可能にする。さらに、ＢｌａｃｋＢｅｒｒｙユーザのためには、該ユーザのＩＣＥデータはワイヤレスオペレータおよびＢｌａｃｋＢｅｒｒｙサービスの両者により、またはこれらの一方により、協調されたサービスの配列を介して格納されることに留意する。
【００３７】
図６を参照すると、情報アクセスシステム２５の実施形態に従って、例示的なワイヤレスデバイスを操作することができるワイヤレスネットワーク環境が、ネットワーク図で図示されている。図６では、例示的なワイヤレス通信システム１００は複数個のホストサービス（１０２、１０４、および１０６の３つが示されている）を含み、その各々は、電子メール、カレンダ、インターネットウェブブラウザ、および他のアプリケーション等のようなその加入者が利用可能な複数のサービスを有するが、これらに限定されない。この具体的な例では、ホストサービス１０２、１０４、および１０６は一般的にサーバとして構成され、各々少なくとも１つのプロセッサおよび格納手段を含み、各々インターネットのような通信ネットワーク１０８により通信をもたらすことができるネットワークインターフェースを使用する。ホストサービス１０２、１０４、および１０６は、通信ネットワーク１０８を通して、ワイヤレスルータシステム１１０へおよびワイヤレスルータシステム１１０から、メッセージを送受信し、ホストサービス１０２、１０４、および１０６と、ワイヤレスルータシステム１１０との間の通信を行なわせる。
【００３８】
ワイヤレスルータシステム１１０は、複数個のワイヤレスネットワーク（１１４、１１６、および１１８の３つが示されている）に接続され、その各々は複数個のモバイルデバイスをサポートする（１２０、１２２、および１２４が各ワイヤレスネットワーク毎に１つずつ示されている）。ワイヤレスネットワーク１１４、１１６、および１１８は、モバイル通信用グローバルシステム（ＧＳＭ）ネットワーク等のようなセル式電話ネットワーク、または符号分割多元接続（ＣＤＭＡ）ネットワーク、双方向呼び出しネットワーク、ＢｌｕｅｔｏｏｔｈおよびＩＥＥＥ８０２．１１準拠ネットワークおよびその他等のような短距離ワイヤレスネットワークでもよい。モバイルデバイス１２０、１２２、および１２４は対応するワイヤレスネットワークに対応したデバイスである。
【００３９】
モバイル通信デバイス１２０、１２２、および１２４は、ホストサービス１０２、１０４、１０６等のような他のモバイル通信デバイスまたはコンピュータシステムと、ワイヤレスルータ１１１および通信ネットワーク１０８を含む送受信器ステーションのネットワークを通して通信する能力を有する、先進的データ通信能力を伴う双方向通信デバイスである。モバイル通信デバイス１２０、１２２、および１２４は、音声通信を可能とする能力もまた有してもよい。与えられた機能により、データメッセージデバイス、双方向呼び出しデバイス、データメッセージ能力を持つセル式電話、ワイヤレスインターネット機器、またはデータ通信デバイス（電話としての機能ありまたは無し）として参照してもよい。先に示したリストは包括的なものを意味せず、本明細書に記述された実施形態は、上述のリストに記載されていてもいなくても、いかなる種類のモバイルデバイスにも実用できる。
【００４０】
ホストサービス１０２、１０４、および１０６の主要な目的は、メールサーバ（図示せず）、モバイル通信デバイス１２０、１２２、および１２４等のような他の情報源から受けた情報を処理すること、ならびに情報を、一般的には異なるホストサービス１０２、１０４、１０６、メールサーバまたはモバイル通信デバイス１２０、１２２、もしくは１２４等適切な受信者に対して送ることである。ホストサービス１０２、１０４、および１０６は、電子メールを送信および受信ならびに一般的であるようにメールサーバと通信するために構成される。メールサーバには、例えば、Ｍｉｃｒｏｓｏｆｔ（ＴＭ）Ｅｘｃｈａｎｇｅ（ＴＭ）サーバ、Ｌｏｔｕｓ（ＴＭ）Ｄｏｍｉｎｏ（ＴＭ）サーバ、Ｎｏｖｅｌｌ（ＴＭ）Ｇｒｏｕｐ  Ｗｉｓｅ（ＴＭ）サーバ、インターネットメッセージアクセスプロトコル（ＩＭＡＰ）サーバ、ポストオフィスプロトコル（ＰＯＰ）サーバ、または当業者により容易に理解されるウェブメールサーバもしくはその他の任意のメールサーバ等を含み得る。ホストサービス１０２、１０４、および１０６は、そのプロセッサ内で所望のメッセージの送受信、加えて適切な情報の取り扱いを達成するためのソフトウエアモジュールもまた含む。１つの実施形態において、各ホストサービス１０２、１０４、１０６のソフトウエアモジュールは、メッセージモジュールで、そのメッセージモジュールは、少なくとも１つの外部メールサーバからメッセージを受けるため、モバイル通信デバイス１２０、１２２、１２４にメッセージを送信するため、同じモバイル通信デバイスからメッセージを受けるため、および少なくとも１つの外部メールサーバにメッセージを送信するために適合される。この少なくとも１つの外部メールサーバは、例えば、少なくとも１つのモバイルデータサーバであってもよい。ワイヤレスルータシステム１１０は、ローカルサービス１１２等のようなホストサービスに、通信ネットワーク１０８無しに直接接続されていてもよい。他の実施形態では、ホストサービス１０２、１０４、および１０６が、モバイル通信デバイス１２０、１２２、および１２４と直接通信することが可能である。この実施形態では、ホストサービス１０２、１０４、および１０６は、通信をワイヤレスルータシステム１１０の補助無しでモバイル通信デバイス１２０、１２２、および１２４へアドレスすることが可能である。
【００４１】
図７を参照すると、情報アクセスシステム２５の実施形態に従って、ＩＣＥ情報を提供するためのモバイル通信デバイス１２６の実施例が図示されている。モバイル通信デバイス１２６はセル式電話であり得、これはディスプレイ画面１２８およびキーボード１３０を含む。キーボード１３０はＩＣＥのインディシアを担持したキー１３２を含む。本実施例では、ＩＣＥのインディシアは先端が四角形状のアスタリスクで示され、アメリカ合衆国の米国高速道路安全局（ＮＨＴＳＡ）の認証マーク「スターオブライフ」を示す。この記号は、種々の国で星の部分を他のデザイン要素に付け加えられて、世界中の緊急医療サービス組織により採用されてきたものである。
【００４２】
モバイル通信デバイス１２６の所有者が無意識状態または半意識状態となっている、緊急事態が生じた時、操作時に、第３者が友人または親戚の電話リストにアクセスするのを防ぐために、このモバイル通信デバイス１２６はロックされた条件であってもよい。図案化されたインディシアを担持したキー１３２が押されると、ＩＣＥ情報１３４が表示される。ロックされたディスプレイ１２８は、「ＩＣＥ」１３４およびＩＣＥ情報の利用可能性を示す任意の記号を表示することにより、「ＩＣＥ」情報の存在を示すことができる。
【００４３】
図８を参照すると、情報アクセスシステム２５の実施形態に従って、ＩＣＥ情報を提供するためのモバイル通信デバイス１４０の他の実施例が図示されている。このモバイル通信デバイス１４０は、電子メールデバイスであり得、ディスプレイ画面１４２およびキーボード１４４を含み、この両者はどちらも図７のモバイル通信デバイス１２６よりも大きい。キーボード１４４は、図案化したインディシアを担持したキー１４６を含む。このような、より大きいディスプレイを伴うデバイスは、「ＩＣＥ」情報を表示するための指示を含む、さらなる情報を提供し得る。
【００４４】
図９を参照すると、情報アクセスシステム２５の実施形態に従って、ＩＣＥ情報を提供するための、モバイル通信デバイス１４０のさらに詳細な実施例が図示されている。この移動通信デバイス１４０は、ＩＣＥ情報１４８を表示するためのディスプレイ画面１４２、マンマシンインターフェース（ＭＭＩ／Ｆ）１４９、プロセッサ１５０、送受信器１５１、およびＳＩＭカード１５２を含む。このＳＩＭカード１５２には、ＩＣＥデータ１５４が含まれる。ＳＩＭカード１５２を持たない、しかしメモリ１５６を有するデバイスでは、ＩＣＥデータ１５８はプロセッサ１５０によるアクセスのためにその中に格納される。このＩＣＥ情報は異なる方法でも格納することができる。例えば、このＩＣＥ情報は、ＩＣＥの分離されたリストとして、またはＩＣＥフィールドを加えた標準電話リストの一部として格納されていてもよい。
【００４５】
携帯型デバイス内の情報は、安全上の理由でしばしばロックされている。好ましくは、ＩＣＥ情報が携帯型デバイスに一旦ロードされると、ａ）このデバイスがＩＣＥ能力を持っている可能性の表示がある、ｂ）第１の対応要員および緊急人員によるアクセスの容易さがある、ｃ）（ＩＣＥ情報の）使用の容易さがある、ｄ）このデバイスがロックされている場合には、ＩＣＥでないＰＡＢ（個人アドレス帳）およびその他の情報の保護がある、ｅ）このデバイスのロックおよびＩＣＥアクセス機能の分離があるため、ＩＣＥへのアクセスは基本デバイスおよび（存在する場合には）ＳＩＭの安全には障害が無い。
【００４６】
マンマシンユーザインターフェース事象は、ＩＣＥ情報をアンロックするように指定され得る。例えば、「＊」キー（アスタリスクまたは「スターオブライフ」）を３回もしくは４回、または「＊」キー（アスタリスクまたは「スターオブライフ」）を２秒間押し続ける。好ましくは、これらの実施例の１つが全ての携帯型デバイスの標準として使用され得る。
【００４７】
有利なことに、このアスタリスクは「スターオブライフ」と一部同様の特徴を有し、かつ多くのキーボードと共通であり、このアスタリスクは３ＧＰＰの仕様に従い必要とされるキーである。３回押すことは、３ＧＰＰの仕様に従い補助的なサービスコードとして使用される場合があるので、４回押すことは、好ましい実施である。ＩＣＥアクセス方法を使用することによる、デバイスに不都合な効果が無いことが好ましい使用の容易さを高め
るために、デバイスがセル式電話であり、かつロックされた状態または待機状態の場合（かつ補助的なサービスコードを許容しない場合）、「＊」（アスタリスク）または「スターオブライフ」を３回押すことによってもまた、デバイスがＩＣＥ情報を開くことがさらに推奨され、補助的なサービスコードはセル式電話がアンロックされた状態の場合でのみ入力されるので、このような短縮コードと潜在的なアスタリスクを３回押すことを補助的なサービスコードに使用することとは、干渉しない。
【００４８】
一部のデバイスはキーパッドを有しないので、「＊」キーを利用することができない場合がある。そのような機器の実施例には、ＭＰ３プレイヤおよびその他の携帯型音楽デバイス、ならびにセル式電話のキーパッドを有さないが特別に適合されたユーザインターフェースを使用する子供用のセル式電話が含まれる。このようなデバイスは一般的に、メニューへアクセスすることができる、何らかの形式のマンマシンインターフェース（例えば、ｉＰｏｄ（ＴＭ）はサムホイールおよびセレクトボタンを有する）を有する。これらの場合、ＩＣＥ情報をメニューアイテムとして配置させ得る。
【００４９】
図１０は、情報アクセスシステム２５の実施形態に従って、ロックされたモバイル通信デバイス（１６０）から情報を得る実施例をフローチャートにより示している。この方法（１６０）は、（アスタリスクを４回押すことのような）特定されたマンマシン事象（１６２）を受けることから始まる。次に、マンマシン事象（１６４）に対応して情報が表示される。この情報は携帯型デバイスがロックされていても表示される。この方法（１６０）は完了する。情報をローカルまたは遠隔のリポジトリから得ることを含む、その他のステップがこの方法に加えられてもよい。この方法（１６０）は携帯型デバイス１６またはマンマシンインターフェースモジュール２２のプロセッサで実装されてもよい。有利なことに、この方法はＩＣＥ情報をロックされたデバイスから得るのに使用してもよい。この方法は他の情報を得るためにも使用されてもよい。これに続く方法の実施形態の実施例は、「ＩＣＥ情報」という用語を使用して以下に記述される。その他の情報を「ＩＣＥ情報」の代わりに好適に使用してもよい。
【００５０】
ほとんどの携帯ワイヤレスデバイスは今ではＳＩＭまたは同等のものを使用しているが、一部では使用していない。ＳＩＭ等のモジュールが無いセル式電話の実施例としては、ＣＤＭＡセル式電話が挙げられる。（一部のデバイスモジュールはＲＵＩＭを有し得ることに留意）。ユーザが携帯していてもよい、セル式電話でないワイヤレスデバイスの実施例としては、Ｗｉ−Ｆｉ電話が挙げられる。
【００５１】
情報アクセスシステム２５および方法（１６０）は、ＳＩＭまたは同等のものが使用されているかどうかに関わらず、ユーザがしばしば携行するワイヤレスデバイスを含む、携帯型デバイスに実装されていてもよい。例えば、この情報アクセスシステム２５および方法（１６０）はセル式電話、ライセンス契約していないＷｉ−Ｆｉ（ワイヤレスＬＡＮ）電話、衛星電話（イリジウムおよびその他）、ｉＰｏｄ、ＰＤＡ、およびその他のワイヤレス通信の無い携帯型電子デバイスに実装されていてもよい。
【００５２】
図１１を参照すると、情報アクセスシステム２５の実施形態に従って、ＩＣＥ情報を得るためにワイヤレスデバイスをアンロックする方法の実施例が、フローチャートにより図示されている。ワイヤレスデバイスは、ブロック１７０で示されるようにロックされている。キーストロークが判断ブロック１７２で検出され処理ブロック１７４に格納される。このキーストロークが、処理ブロック１７６でデバイスユーザのパスワードと比較され、合致した場合１７８は、処理ブロック１８０で示されるようにこのデバイスはアンロックされる。合致しなかった場合１７８は、格納されたキーストロークは判断ブロック１８２にあるＩＣＥアクセスと比較される。合致した場合１８２は、「ＩＣＥ」情報へのアクセスが許諾される１８４。
【００５３】
携帯型デバイスの世代に依存して、この情報にアクセスするために種々のキーストロークが使用され得る。「ＩＣＥ」情報を表示するためのアンロックコードとして、ＩＣＥすなわち４２３を使用し得るか、または「＊」キーを繰り返して（例えば、４回）もしくは十分長い時間押し続けて使用し得ることが好ましい。この「＊」インディシアは上述の「スターオブライフ」の表現によって代替されたり、されなかったりする。
【００５４】
ロックされたディスプレイは、「ＩＣＥ」およびこれを示すために選択された任意の記号を表示することにより、「ＩＣＥ」情報の存在を示す。例えば、「スターオブライフ」が表示されてもよく、または「スターオブライフ」の表現が「＊」の代わりにアスタリスクキー上に使用されてもよい。これは、６つの先端が四角くなった６点のアスタリスク、または実際の「スターオブライフ」であってもよい。
【００５５】
図８に示されるような、より大きいディスプレイを有するデバイスは、「ＩＣＥ」情報を表示するための指示を含む、さらなる情報を提供することができる。好ましくは、新しいデバイス、および可能な場合はこれらの従来からのデバイスに対して、ＩＣＥのインディシアは、そのデバイスにＩＣＥ情報があるかどうかを示す。例えば、太字の記号（インディシア）はＩＣＥ情報があることを示し、「グレー表示された（ｇｒｅｙｅｄ−ｏｕｔ）」シンボルは情報が無いことを示す。旅行が終了した後（日付が達したとき）、ユーザに警報を表示することもできる。電源を入れる度、または他の何らかの選択されたアルゴリズムにより、これを行なうことができる。好ましくは、表示される情報に含まれている情報は、ユーザプリファランスに従って、氏名および電話番号より多くの情報を含んでもよい。
【００５６】
図１２では、一般的なミーリーグラフ２００ユーザ機器（ＵＥ）アクセス方法が、グラフ図で図示されている。ミーリーグラフ２００は、携帯型デバイス通信業界で公知の７つの状態を含む。すなわち、ＭＳ−ＯＦＦ（１）、Ｗａｉｔ（２）、Ｅｎｔｅｒ−ｃａｒｄ（３）、Ｅｎｔｅｒ−ＰＩＮ（４）、Ｆａｉｌｕｒｅ−Ｔｒｅａｔｍｅｎｔ（５）、Ｅｎｔｅｒ−ＰＬＭＮ（６）、およびＳｅｒｖ−ＡＶ（７）である。
【００５７】
図１３では、情報アクセスシステム２５の実施形態に従って、図１２のミーリーグラフ２００に加えることができる改訂が、グラフ図により図示されている。ＩＣＥ状態（８）が追加され得る。一連のキーストローク（「＊」を４回等のような）はシステムをｗａｉｔ（２）状態からアンロックし、システムをＩＣＥ（８）状態にする。好ましくは、ＩＣＥ状態（８）から抜け出し、ｗａｉｔ状態（２）に戻るために「終了」キーが使用される。
【００５８】
以下はＵＥアクセス手順の状態の説明である。
１）ＵＥ−ＯＦＦ：ＵＥはオフ状態である。これは、このデバイスはＰＬＭＮ内のＵＥとして作動しないことを意味する。
２）ＷＡＩＴ：ＵＥがローミングしている（例えば、位置の更新）場合の、ＵＥの種類およびＰＬＭＮに関する、ＵＥアクセス状態の完了を待っている。
３）ＥＮＴＥＲ  ＣＡＲＤ：加入者カードの入力を要求する（例えば、内蔵のＳＩＭモジュールが利用可能でない場合）。
４）ＥＮＴＥＲ  ＰＩＮ：正しいＰＩＮの入力を要求する。
５）ＦＡＩＬＵＲＥ  ＴＲＥＡＴＭＥＮＴ：実際の失敗条件の除去を待っている。
６）ＥＮＴＥＲ  ＰＬＭＮ：ＰＬＭＮの選択を要求する。
７）ＳＥＲＶ−ＡＶ：ＵＥは準備完了状態である。ユーザはＰＬＭＮサービスを利用可能である。
８）緊急時（ＩＣＥ）：ＵＥはアンロックされ、ＩＣＥ情報は利用可能である。前の状態でＵＥがロックされている場合、ＩＣＥ情報のみが利用可能である。
【００５９】
以下は、ＵＥアクセス状態間の移行の説明である。
ＯＮ：デバイスはＰＬＭＮ内のＵＥとして作動する。
ＲＥＱ：ユーザアクティビティに対する要求。
ＩＯＣ：ＳＩＭ／ＵＳＩＭモジュールを伴う加入者カードの挿入。
ＣＯＭＰＬＥＴＥ：ＰＩＮは入力されている。
ＥＮＴＥＲＥＤ：ＰＬＭＮ選択が完了している。
ＦＡＩＬＵＲＥ：ＵＥアクセス手順の間の任意の他の状態で、故障状態が発生している。ＣＯＮＤＩＴＩＯＮＡＬ：ＵＥがＷＡＩＴ状態おいて待機する条件の１つが失われている。ＵＥはＷＡＩＴ状態に戻る。
“ＤＯＮＥ”：ＵＥアクセス故障状態が修正されている。
ＯＫ：ＵＥがＷＡＩＴ状態において待機する全ての条件が達成された。
ＩＣＥ  ｕｎｌｏｃｋ：ＵＥが緊急時の（ＩＣＥ）状態に入る。
“Ｏｆｆ”ｋｅｙ：ＵＥはＷＡＩＴ状態に戻る。
【００６０】
好ましくは、図１２および図１３、ならびに上述の状態および移行の説明は、ＩＣＥアクセス方法と関連したユーザ機器のマンマシンインターフェース（ＭＭＩ）の好ましい標準の要件を定義する。好ましい標準は、任意の人員が（Ｕ）ＳＩＭまたはＵＥ上のＩＣＥ情報にアクセスすることを可能にする。好ましい標準の手順の使用は、他の情報（例えば、電話帳のＩＣＥでない記入アイテム）を可視状態にはしない。好ましい標準の手順は、ＳＩＭ  ＰＩＮがロックされているかどうかに関わらず、かつハンドセットがロックされているかどうかに関わらず、機能する。好ましい標準では、ＩＣＥ情報を格納しているモバイルデバイスのアンロックは、モバイルデバイスがアイドル状態であり、かつ任意の英数字のキーが３回または任意の英数字のキーが２秒以上押されたときに、生じる。
【００６１】
以下の説明は、ＩＣＥ情報をＳＩＭカードへの格納の実施例を記述する。
【００６２】
好ましくは、ＩＣＥ情報はＳＩＭカードに配置される。このことは、ユーザが（オペレータを介して）情報をＳＩＭ（またはＵＳＩＭ）にダウンロードすることを可能にする。このデバイスはＩＣＥ情報のコピーを作ったり、作らなかったりする。好ましくは、このデバイスはＩＣＥ情報のコピーを作り、そのコピーをデバイスの中に保持する。新しいファイルがＳＩＭカードに加えられ得る。例えば、既存の電話のアドレス帳は、限られた数のフィールドしか有さない場合がある。好ましくは、ＩＣＥで使用するために適合された情報とフィールドを有する、ＩＣＥ情報を含んだ１つ以上の新しいファイルが使用される。好ましくは、このＩＣＥファイルは、単独で、緊急時対応要員が利用可能なメカニズムの使用を介してアンロックされ、この別々のファイルの使用は（既存の一般的なアドレス帳内のファイルまたは記録ではない）ＩＣＥアンロックが主アドレス帳をアンロックしたりさもなければ影響を与えたりしないことを確実とする。さらに、この別々のＩＣＥ情報ファイルの使用はＩＣＥファイルの展開を可能にする。さらに、新しいデバイスのために、単一の標準化された手法が使用され得る。
【００６３】
上に暗喩されるように、ＩＣＥ情報は新しいスタイルのアドレス帳ファイルに配置されるが（ＩＣＥ情報またはエントリは他の従来のアドレス帳のエントリと「統合」され、その結果、該デバイスがロックされた状態であるとき、ＩＣＥ情報はロックされた状態でもアンロックされた状態でもアクセスされるが、そのアドレス帳内の他のＩＣＥに関連しない情報はロックされたままとなる）、このような格納は、ＩＣＥ情報がアドレス帳ファイルから分離して維持される標準化された手法の基盤を提供しない。さらに、ＩＣＥ情報をアドレス帳のエントリにおける氏名の前に「ＩＣＥ」によってのみ継続的に識別させることは、別々のＩＣＥファイルの利点が達成されることを妨げる。標準が無い場合では、各々のセル式電話［または携帯型デバイス］製造業者は異なるフォーマットと手法とを使用し得ることにより、ユーザのＩＣＥ情報が１つのハンドセットまたはデバイスから、別のハンドセットまたはデバイスへ容易に移行することを制限したり、または妨げたりする。有利なことに、アドレス帳ファイルから分離しかつ標準化された形式でＩＣＥ情報を維持することは、ユーザのＳＩＭカードを新しいワイヤレスデバイスへ移動することにより、ユーザのＩＣＥ情報の移行を可能にする。好ましくは、ＳＩＭカードのためのＩＣＥ情報のために標準が設定されることによって、ファイルは、例えば、ＤＦＩＣＥのような、新しい専用のファイル（ＤＦ）に配置される。好ましくは、このＤＦは２つの基本ファイル（ＥＦ）、すなわち、ａ）ＥＦＩＵ（ＩＣＥユーザ）およびｂ）ＥＦＩＣ（ＩＣＥ連絡先）を有する。
【００６４】
このＩＣＥユーザファイルは［セル式電話］ユーザ情報を提供する。すなわち、
氏名
住所
国名
時間帯
（１つまたは複数の）言語  緊急人員のために
電話番号  番号の間を分ける（空白を入れる）ことにより、国番号が明確に識別される
モバイル電話番号  番号の間を分ける（空白を入れる）ことにより、国番号が明確に識別される
旅行者グループ  ユーザがグループで旅行していることを識別する
情報  旅行の開始日と終了日を提供し、これによって緊急人員は現在旅行期間内であるかどうかを知ることができる。
血液型
備考  緊急人員のための医療状態またはその他の指示に関する情報の追加を、ユーザは希望し得る。ユーザはまた空白のままにし得る。
旅行しているユーザは、ＩＣＥ情報に関して追加の問題を提示する。ユーザが訪れる場所では、異なる言語を有し得るか、または異なる言語と異なるアルファベット（例えば、西洋のアルファベットに対して、日本語、中国語、またはその他の文字）の両方を有し得る。この問題はいくつかのステップにより対処され得る。
【００６５】
西洋のアルファベットを使用する国の範囲内の旅行では、フィールドの見出しは複数の言語で提供される場合がある。すなわち、ユーザの言語および英語またはユーザの言語、英語、および頻繁に訪れる国の言語である。見出しに複数の言語を使用することにより、緊急時対応要員は、どの電話番号が勤務先（ビジネス）、自宅、および携帯であるか判断することができる。見出しに複数の言語を使用することは、緊急時対応要員に対して、ＩＣＥ連絡先との関係、すなわち、配偶者、兄弟、友人、医師、旅行案内者といった関係をもまた示す。この見出しは、緊急時対応要員が自分たちにとってどちらの言語が最も有用であるか選択する可能性を伴うように、好ましくは、少なくともユーザの言語および英語で前もってプログラムされていた方がよい。この例では、ユーザのＩＣＥ情報および連絡先のＩＣＥ情報は、ユーザの母国語で入力される。フィールドの見出しおよび電話番号が緊急時対応要員によって利用可能かつ理解されることによって、ほとんどまたは全てのＩＣＥ情報の目標は達成される。
【００６６】
西洋言語を使用するユーザが、異なるアルファベットまたは文字を用いる国を旅行する場合、より困難な状況が発生する。英語（およびより低い割合になると思われる他の西洋語）は、緊急時対応要員が、少なくともフィールドの見出し（その西洋語に精通している人員が利用可能な場合）と電話番号にアクセスできるようにする可能性がある。非西洋語を使用する国に長い期間滞在する（西洋語を使用する）ユーザのためには、フィールドの見出しとフィールド内の情報との両方がその国の言語に翻訳されていて、緊急時対応要員が通訳の必要無しに全ての情報にアクセスできることが好ましい。同様に、西洋語を使用する国に滞在する（非西洋語を使用する）ユーザは、フィールドの見出しとそれらのフィールド内の情報の両方が英語または適切な西洋語に翻訳されていることが必要であろう。
【００６７】
好ましくは、ＩＣＥ情報が最初に入力されている場合、かつユーザの旅行日程が追加の言語を呼び出す場合に、（西洋語および非西洋語を使用した）いくつかの言語によるフィールドの見出しの準備が、ユーザに利用可能である。これは、ユーザの氏名および詳細ならびにユーザのＩＣＥ連絡先を知ること無く、達成される可能性がある。利用可能な言語は、好ましくは表示され、これにより緊急時対応要員は最も有用な言語を選択することができる。氏名およびその他の詳細が西洋語と非西洋語との間で翻訳しなければならない場合については、個別に取り扱うことができる。
【００６８】
ユーザは全ての情報を提供しないこと、例えば、住所から番地および市町村を除くことを選択し得る。好ましくは、旅行者のグループの情報の日付には、誤解を防ぐために月にアルファベットの省略形を使用する。旅行者のグループの情報の日付を過ぎたとき、ユーザは警告を受け、旅行または小旅行が完了したか延長したか尋ねられる、すなわち（ａ）この旅行の旅行者のグループの情報を削除しかつ連絡先のエントリのこの旅行に関連するものを削除するか（また、この連絡先を削除するかどうか）、または（ｂ）旅行者のグループの情報内のこの旅行または小旅行の日付を延長する。
【００６９】
ＩＣＥ連絡先ファイルは、緊急時対応要員が連絡を取ることを望む人々またはグループの情報を提供するであろう。
氏名
関係  ユーザとの関係。母、配偶者、兄弟、友人、医師、旅行グループのメンバ、旅行案内者、・・・住所  （任意）
時間帯  ユーザと異なる場合
国名
（１つまたは複数の）言語  緊急人員のために
電話番号−自宅  番号の間を分ける（空白を入れる）ことにより、国番号が明確に識別される
−勤務先  番号の間を分ける（空白を入れる）ことにより、国番号が明確に識別される
モバイル電話番号  番号の間を分ける（空白を入れる）ことにより、国番号が明確に識別される
備考：  ＩＭまたはその他のコメントのために使用できる。
【００７０】
追加のフィールドが付け加えられたことを表示するためにも使用できる。
ユーザと共に旅行しているか否か。  この連絡先がユーザと共に旅行していることを示す。
見出し（表示される場合）は好ましくはユーザの言語および英語または他の第２の言語の可能性がある。ユーザは全ての情報を提供しないことを選択し得る。好ましくは、ＭｅｄｉｃＡｌｅｒｔ等のような組織を連絡先に入れ得る。好ましくは、ユーザは連絡先の優先順位をつけ得る。
【００７１】
ワイヤレス機器において、情報を容易に使用、挿入、および更新できるように、以下の入力手法が使用され得る。
Ａ．ユーザがオンラインでオペレータウェブページに情報を入力する。このシナリオにおいて、オペレータはデータベースを維持し、かつ情報をＯＴＡ（無線）でＳＩＭに転送する。
Ｂ．任意で、ユーザは情報をパーソナルコンピュータ（ＰＣ）−ＵＥ接続およびケーブル経由で入力し得る。
Ｃ．ユーザは、情報をＢｌｕｅｔｏｏｔｈまたはその他のワイヤレス接続を使用してＰＣ−ＵＥ経由で入力する。
Ｄ．ユーザは情報をキーボード（ＴＡＰ）経由で入力する。
【００７２】
ロックされた電話等のような、ロックされたデバイス上のＩＣＥ情報を表示するために、ユーザの自宅情報、連絡先、旅行者の情報、および関連した情報等のような、ＩＣＥ関連の情報を、通常のアドレス帳のエントリから分離して格納するために、ＳＩＭの別々のＤＦおよびＥＦが使用される。特定のＩＣＥを目的としたファイル内の、このＩＣＥ情報の分離は、通常のアドレス帳の記入内容およびその他のデータはロックされ、かつアクセスできない状態のまま、ＩＣＥ情報をアンロックすることを可能にする。
【００７３】
各ＳＩＭアドレス帳のエントリを限られたスペースで取り扱うため、「ＩＣＥ」情報はＳＩＭ／ＵＳＩＭからモバイル機器（ＭＥ）に移行される。
【００７４】
情報の更新のため、このＭＥは情報へのアクセスを管理する。
【００７５】
ユーザが新しいセル式電話を入手した場合、登録または有効化プロセスはユーザにＩＣＥ情報を入力すべきことを警告する。ユーザはすでに登録されたＳＩＭをワイヤレスデバイスに設置し、好ましくは、ユーザは、そのＩＣＥ情報（すでにＳＩＭにある）が正確かつ最新のものであるかどうか尋ねられる。
【００７６】
ユーザが他のＳＩＭを入手した場合、ハンドセットとＳＩＭは同期化される。ＳＩＭはＤＦおよびＥＦ「ＩＣＥ」ファイルを有し得ず、またはＳＩＭはその中にいずれの情報も伴わないＤＦおよびＥＦ「ＩＣＥ」ファイルを有し得る。さらに、他のＳＩＭはそのユーザにとって（少なくともしばらくの間）永久ＳＩＭであってもよく、このＳＩＭは（短い可能性がある）ある期間ある仲間またはユーザの企業から一時的に貸し出されていてもよい。このＳＩＭがその中に全くＩＣＥ情報も有さない場合、このハンドセットからの情報は恐らく使用されている可能性があり、よって「このハンドセットからの＜ＩＣＥ情報からのユーザの氏名＞上の「ＩＣＥ」情報を保持し、ＳＩＭに書き込むか？」という質問がユーザに対して指示される可能性がある。ユーザが「いいえ」を選択した場合、ユーザは、ＳＩＭファイル内に配置され、ハンドセットにそれ以前の情報に上書きしてコピーされるであろう「ＩＣＥ」情報を入力するように指示される可能性がある。
【００７７】
図１４では、情報アクセスシステム２５の実施形態に従って、ハンドセットおよび交換のＳＩＭ（２００）を同期させる方法の実施例がフローチャートにより示されている。交換のＳＩＭがＤＦおよびＥＦのＩＣＥファイルを有さない場合（２０２）、またはＳＩＭのＤＦおよびＥＦのＩＣＥファイルがその中にいずれの情報も有さない場合（２０２）、ユーザがその交換ＳＩＭをハンドセットのＩＣＥ情報を反映するように更新を望む場合、ユーザに選択するよう指示するメッセージが表示される（２０４）。望む場合（２０４）、ＳＩＭはその情報により更新される（２０６）。望まない場合（２０４）、ユーザにＳＩＭに格納するＩＣＥ情報を入力するよう指示するメッセージが表示される（２０８）。
【００７８】
特定のインディシアを有さない従来からのワイヤレスデバイスを、他のキーストロークを経由してこの情報にアクセスするためにプログラムすることもできる。例えば、「ＩＣＥ」情報を表示するためのアンロックコードとして、ＩＣＥすなわち４２３と打ち込む、または「＊」キーを繰り返して（例えば、３回または４回）使用する、もしくは十分長い時間押し続ける。この「＊」インディシアは上述の図案化されたインディシアによって代替されてもよく、またはされなくてもよい。
【００７９】
新しいデバイスおよび新しいＳＩＭ類、ＵＳＩＭ類、ＩＳＩＭ類、ＲＵＩＭ類はＩＣＥ能力を内蔵して生産することができる。
【００８０】
従来のＳＩＭがＩＣＥ利用可能でない場合、その従来のＳＩＭは、オペレータからＯＴＡ（ワイヤレスの）コマンドを経由して加えられたＤＦおよびＥＦ類を有してもよい。多くの最近の従来のデバイスはゲームおよびその他のアプリケーションをハンドセット（デバイス）にロードすることが可能である。多くのハンドセットは、ワイヤレス用バイナリランタイム環境（ＢＲＥＷ）、またはこのようなアプリケーション用のプログラム言語としてＪａｖａ（登録商標）（もしくはその他の「標準化」された言語）を使用して生産されている。したがって、オペレータおよび製造業者は、そのデバイスにＩＣＥ（本明細書で上述の）の使用が可能なＢＲＥＷまたはＪａｖａ（登録商標）アプリケーションを生産できる可能性がある。ＢＲＥＷの標準、および多くのハンドセット用のＪａｖａ（登録商標）の標準化に向けた業界の作業により、例えばＪａｖａ（登録商標）ＩＣＥのような単一のアプリケーションが多くの異なる種類のハンドセットにインストール可能であってもよいことは、さらに考慮すべきである。デバイスは、一旦ＢＲＥＷまたはＪａｖａ（登録商標）ＩＣＥアプリケーションがインストールされると、ＩＣＥ能力を完全にインストールされて製造されたハンドセットと同じ能力で操作されるであろう。
【００８１】
インフラストラクチャに情報が格納されるモードを有する、従って新しいデバイスにダウンロードされた情報と共に新しいワイヤレスデバイスに（以前のデバイスから）変えることが可能である、ＲＩＭ  ＢｌａｃｋＢｅｒｒｙ（ＴＭ）等のようなデバイスは、ＯＴＡバックアップを経由してＩＣＥ情報を格納してもよい。これは、ＳＩＭカードが使用されていない場合でも、新しいワイヤレスデバイスへ変えることを可能にする。
【００８２】
本開示に従うシステムおよび方法は、上述の機能を有する、いかなるハードウエア、ソフトウエア、またはハードウエアおよびソフトウエアの組み合わせにより実装されてもよい。ソフトウエアコード、およびその全体またはその部分のいずれもコンピュータ読み取り可能メモリに格納されてもよい。さらに、搬送波に組み込まれていてもよいソフトウエアコードを示すコンピュータデータ信号は通信ネットワークを経由して伝達されてもよい。このようなコンピュータ読み取り可能メモリおよびコンピュータデータ信号、加えてハードウエア、ソフトウエア、およびその組み合わせは、本開示の範囲内である。
【００８３】
この特許情報開示の特定の実施形態が示され、かつ記述されているが、この特許情報開示の真の範囲を逸脱することなく、これらの実施形態に対し変更および改造が行なわれてもよい。
【図面の簡単な説明】
【００８４】
【図１】図１は、一般的な携帯型電子デバイスの実施例を図示する。
【図２】図２は、本特許開示の実施形態に従って、情報を格納および提供するための情報アクセスシステムの実施例をブロック図で図示する。
【図３】図３は、本情報アクセスシステムの実施形態に従って、ＩＣＥ情報をロードする実施例を情報フロー図で図示する。
【図４ａ】図４ａおよび図４ｂは、本情報アクセスシステムの実施形態に従って、種々のディスプレイ画面を図示する。
【図４ｂ】図４ａおよび図４ｂは、本情報アクセスシステムの実施形態に従って、種々のディスプレイ画面を図示する。
【図５】図５は、本情報アクセスシステムの実施形態に従って、種々の携帯型デバイスのＩＣＥデータ格納チャートを図示する。
【図６】図６は、本情報アクセスシステムの実施形態に従って、例示的なワイヤレスデバイスを操作することができるワイヤレスネットワーク環境をネットワーク図で図示する。
【図７】図７は、本情報アクセスシステムの実施形態に従って、ＩＣＥ情報を提供するためのモバイル通信デバイスの実施例を図示する。
【図８】図８は、本情報アクセスシステムの実施形態に従って、ＩＣＥ情報を提供するためのモバイル通信デバイスの別の実施例を図示する。
【図９】図９は、本情報アクセスシステムの実施形態に従って、ＩＣＥを提供するためのモバイル通信デバイスのさらに詳細な実施例を図示する。
【図１０】図１０は、本情報アクセスシステムの実施形態に従って、ロックされたモバイル通信デバイスから情報を得る実施例をフローチャートにより図示する。
【図１１】図１１は、本情報アクセスシステムの実施形態に従って、ＩＣＥ情報を提供するためのワイヤレスデバイスをアンロックする方法の実施例をフローチャートにより図示する。
【図１２】図１２は、ユーザ機器アクセス手順の一般的なミーリーグラフ２００を、グラフ図で図示する。
【図１３】図１３は、本情報アクセスシステムの実施形態に従って、図１２のミーリーグラフに加えられ得る改訂を、グラフ図により図示する。
【図１４】図１４は、本情報アクセスシステムの実施形態に従って、ハンドセットとＳＩＭとを同期させる方法の実施例をフローチャートにより図示する。
【国際調査報告】
2009533775.tif 000018
2009533775.tif 000019
2009533775.tif 000020